(57)【特許請求の範囲】
【請求項１】
ユーザ機器（ＵＥ）におけるワイヤレス通信の方法であって、
前記ＵＥにおいて、第２アクセスネットワークのモバイル国コード（ＭＣＣ）を識別することを含む、前記ＵＥがアクセスネットワークの境界領域に位置すると決定することと、ここにおいて、前記第２アクセスネットワークの前記ＭＣＣは、前記アクセスネットワークのＭＣＣと異なる、
前記ＵＥにおいて、前記ＵＥのダウンリンクの受信範囲と前記ＵＥのアップリンクの送信範囲との間の不一致の結果として、前記ＵＥのアップリンク通信と前記ＵＥのダウンリンク通信との間の前記ＵＥの非対称状態を識別することと、
前記ＵＥにおいて、前記ＵＥが前記境界領域に位置すると決定することおよび前記非対称状態を識別することに少なくとも部分的に基づいて前記アクセスネットワークに関連付けられた前記ＵＥのセル選択パラメータを修正することと
を備える、方法。
【請求項２】
前記非対称状態を識別することは、
前記ＵＥの前記ダウンリンクの受信範囲が前記ＵＥの前記アップリンクの送信範囲より大きいと決定することを備える、請求項１の方法。
【請求項３】
前記非対称状態を識別することは、
前記ＵＥの高利得受信機の利用可能性を識別することを備える、請求項１の方法。
【請求項４】
前記非対称状態を識別することは、
送信失敗の数が閾値を超えると決定することを備える、請求項１の方法。
【請求項５】
前記ＵＥにおいて、前記アクセスネットワークのサービングセルとの同期ずれ（ＯＯＳ）を宣言することをさらに備える、請求項４の方法。
【請求項６】
前記ＵＥにおいて、送信失敗の数が前記閾値を超えると決定することに少なくとも部分的に基づいて訪問者公衆陸上モバイルネットワーク（ＶＰＬＭＮ）を探索することをさらに備える、請求項４の方法。
【請求項７】
前記ＵＥにおいて、前記修正されたセル選択パラメータに少なくとも部分的に基づいて第２アクセスネットワークのためのセル選択手順を実行することをさらに備える、請求項１の方法。
【請求項８】
前記セル選択パラメータを修正することは、
公衆陸上モバイルネットワーク（ＰＬＭＮ）セル選択をバイパスすることを備える、請求項１の方法。
【請求項９】
前記ＵＥにおいて、前記アクセスネットワークからブロードキャストセル選択情報を受信することをさらに備え、前記セル選択パラメータは、前記ブロードキャストセル選択情報に少なくとも部分的に基づく、請求項１の方法。
【請求項１０】
前記セル選択パラメータは、前記アクセスネットワークの第１無線アクセス技術（ＲＡＴ）に関連付けられ、前記方法はさらに、
前記ＵＥにおいて、第２アクセスネットワークの第２ＲＡＴに関連付けられた第２セル選択パラメータを修正することを備え、前記第２ＲＡＴは、前記第１ＲＡＴと異なる、請求項１の方法。
【請求項１１】
前記アクセスネットワークは、公衆陸上モバイルネットワーク（ＰＬＭＮ）である、請求項１の方法。
【請求項１２】
モバイル国コード（ＭＣＣ）に少なくとも部分的に基づいて前記アクセスネットワークを識別することをさらに備える、請求項１の方法。
【請求項１３】
ワイヤレス通信のためのユーザ機器（ＵＥ）であって、
第２アクセスネットワークのモバイル国コード（ＭＣＣ）を識別することを含む、前記ＵＥがアクセスネットワークの境界領域に位置すると決定するための手段と、ここにおいて、前記第２アクセスネットワークの前記ＭＣＣは、前記アクセスネットワークのＭＣＣと異なる、
前記ＵＥのダウンリンクの受信範囲と前記ＵＥのアップリンクの送信範囲との間の不一致の結果として、前記ＵＥのアップリンク通信と前記ＵＥのダウンリンク通信との間の前記ＵＥの非対称状態を識別するための手段と、
前記ＵＥが前記境界領域に位置すると決定することおよび前記非対称状態を識別することに少なくとも部分的に基づいて前記アクセスネットワークに関連付けられた前記ＵＥのセル選択パラメータを修正するための手段と
を備える、ＵＥ。
【請求項１４】
ワイヤレス通信のためのコードを記憶する非一時的なコンピュータ可読媒体であって、前記コードは、請求項１〜１２のいずれかに定義される方法を実行するようにユーザ機器（ＵＥ）において実行可能な命令を備える、非一時的なコンピュータ可読媒体。
【発明の詳細な説明】
【相互参照】
【０００１】
[0001]本特許出願は、2015年11月24日に出願された「Cell Selection for Devices with Asymmetry Between Uplink and Downlink Communications」と題されたBalasubramanianらによる米国特許出願番号14/950,511および2014年11月26日に出願された「Cell Selection in PLMN Border Areas」と題されたBalasubramanianらによる米国仮出願番号62/084,957に対する優先権を主張する。これらの各々は、本特許出願の譲受人に譲渡されている。
【背景技術】
【０００２】
[0002]以下は、概してワイヤレス通信に関し、より詳細にはアップリンク通信とダウンリンク通信との間の非対称を有するデバイスのためのセル選択に関する。
【０００３】
[0003]ワイヤレス通信システムは、音声、映像、パケットデータ、メッセージ、ブロードキャストなどのような様々なタイプの通信コンテンツを提供するために広く展開される。これらのシステムは、利用可能なシステムリソース（例えば、時間、周波数、および電力）を分け合うことによって、複数ユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボルーション（ＬＴＥ（登録商標））システム）を含む。
【０００４】
[0004]例として、ワイヤレス多元接続通信システムは複数の基地局を含み得、各基地局は別名ユーザ装置（ＵＥ）として知られ得る複数の通信デバイスのための通信を同時にサポートする。基地局は、（例えば、基地局からＵＥへの送信のための）ダウンリンクチャネルおよび（例えば、ＵＥから基地局への送信のための）アップリンクチャネル上で通信デバイスと通信し得る。
【０００５】
[0005]いくつかの場合において、高いアンテナ利得を有するＵＥは、それがデータを受信し得る範囲とそれが信頼性を持ってデータを送信し得る範囲との間の不一致を経験し得る。例えば、高利得アンテナは高い受信機利得を有し得るが、その送信電力は制限され得る。いくつかの場合において、そのようなアンテナを有するＵＥは、国境の近くに位置し得、また、公衆陸上モバイルネットワーク（ＰＬＭＮ）セルおよび訪問者ＰＬＭＮまたは訪問先（visited）ＰＬＭＮ（ＶＰＬＭＮ）セル（例えば、ＵＥが接近中の近隣国のＶＰＬＭＮ）の両方の範囲内にあり得る。高利得受信機およびＵＥセル選択規則に基づいて、ＵＥは接続のための利用可能なより好ましいＶＰＬＭＮがあるにも関わらずＰＬＭＮ上に留まり得る。これは、送信失敗、無線リンク失敗（ＲＬＦ）、および中断されたコールに帰着し得る。
【発明の概要】
【０００６】
[0006]アップリンク通信とダウンリンク通信との間の非対称を有するデバイスのためのセル選択のためのシステム、方法、および装置が記述される。様々な例において、ＵＥは、アップリンク（ＵＬ）通信とダウンリンク（ＤＬ）通信との間の非対称状態を識別し、識別された非対称に基づいてセル選択基準を修正し得る。いくつかの例では、ＵＬ／ＤＬ非対称を識別することはＤＬ受信範囲がＵＬ送信範囲より大きいと決定することを含み得、それは高利得アンテナの利用可能性を識別することを含み得る。いくつかの例では、ＵＬ／ＤＬ非対称を識別することは、送信失敗の数が閾値を越えると決定するような、送信失敗の数に基づき得る。
【０００７】
[0007]いくつかの例では、ＵＥは、ＵＥが公衆陸上モバイルネットワーク（ＰＬＭＮ）境界領域のような境界地域に位置すると決定し得る。非対称ＵＬ／ＤＬ状態を有するＵＥがＰＬＭＮ境界領域に位置する例では、ＵＥはより好ましい訪問者ＰＬＭＮまたは訪問先ＰＬＭＮ（ＶＰＬＭＮ）のために現在のＰＬＭＮから去るためにセル選択パラメータを修正し得る。ＵＥは、全地球測位システム（ＧＰＳ）座標を監視すること、ネットワークのモバイル国コード（ＭＣＣ）を識別すること、複数の送信失敗を経験した後にバックグラウンドＰＬＭＮを探索すること、または高いブロック誤り率（ＢＬＥＲ）を検出することによって、境界領域を識別し得る。
【０００８】
[0008]ワイヤレスデバイスにおける通信の方法が記述される。方法は、ユーザ機器（ＵＥ）の非対称アップリンク／ダウンリンク（ＵＬ／ＤＬ）状態を識別することと、非対称ＵＬ／ＤＬ状態を識別することに少なくとも部分的に基づいてアクセスネットワークに関連付けられたセル選択パラメータを修正することと、を含む。
【０００９】
[0009]ワイヤレス通信のための装置が記述される。装置は、プロセッサと、プロセッサと電子通信状態にあるメモリと、メモリに記憶された命令とを、を含み得る。命令は、装置に、ユーザ機器（ＵＥ）の非対称アップリンク／ダウンリンク（ＵＬ／ＤＬ）状態を識別することと、非対称ＵＬ／ＤＬ状態を識別することに少なくとも部分的に基づいてアクセスネットワークに関連付けられたセル選択パラメータを修正することと、を行わせるようにプロセッサによって実行可能であり得る。
【００１０】
[0010]ワイヤレス通信のための別の装置が記述される。装置は、ユーザ装置（ＵＥ）の非対称アップリンク／ダウンリンク（ＵＬ／ＤＬ）状態を識別するための手段と、非対称ＵＬ／ＤＬ状態を識別することに少なくとも部分的に基づいて、アクセスネットワークと関連付けられたセル選択パラメータを修正するための手段と、を含み得る。
【００１１】
[0011]ワイヤレス通信のためのコードを記憶する非一時的なコンピュータ可読媒体が記述される。コードは、ユーザ装置（ＵＥ）の非対称アップリンク／ダウンリンク（ＵＬ／ＤＬ）状態を識別することと、非対称ＵＬ／ＤＬ状態を識別することに少なくとも部分的に基づいてアクセスネットワークに関連付けられたセル選択パラメータを修正することと、を行うように実行可能な命令を含み得る。
【００１２】
[0012]方法、装置、または非一時的なコンピュータ可読媒体のいくつかの例では、非対称ＵＬ／ＤＬ状態を識別することは、ＵＥのダウンリンク（ＤＬ）受信範囲がＵＥのアップリンク（ＵＬ）送信範囲より大きいと決定するためのステップ、特徴、手段、または命令を含み得る。方法、装置、または非一時的なコンピュータ可読媒体のいくつかの例では、非対称ＵＬ／ＤＬ状態を識別することは、ＵＥの高利得受信機の利用可能性を識別するためのステップ、特徴、手段、または命令を含み得る。方法、装置、または非一時的なコンピュータ可読媒体のいくつかの例では、非対称ＵＬ／ＤＬ状態を識別することは、送信失敗の数が閾値を越えると決定するためのステップ、特徴、手段、または命令を含み得る。
【００１３】
[0013]方法、装置、または非一時的なコンピュータ可読媒体のいくつかの例は、アクセスネットワークのサービングセルとの同期ずれ（ＯＯＳ）を宣言するためのステップ、特徴、手段、または命令を含み得る。方法、装置、または非一時的なコンピュータ可読媒体のいくつかの例は、送信失敗の数が閾値を越えると決定することに少なくとも部分的に基づいて、訪問者公衆陸上モバイルネットワーク（ＶＰＬＭＮ）を探索するためのステップ、特徴、手段または命令を含み得る。
【００１４】
[0014]方法、装置、または非一時的なコンピュータ可読媒体のいくつかの例は、修正されたセル選択パラメータに少なくとも部分的に基づいて第２アクセスネットワークについてのセル選択手順を実行するためのステップ、特徴、手段、または命令を含み得る。方法、装置、または非一時的なコンピュータ可読媒体のいくつかの例では、セル選択パラメータを修正することは、公衆陸上モバイルネットワーク（ＰＬＭＮ）セル選択をバイパスするためのステップ、特徴、手段、または命令を含み得る。
【００１５】
[0015]方法、装置、または非一時的なコンピュータ可読媒体のいくつかの例は、アクセスネットワークからブロードキャストセル選択情報を受信するためのステップ、特徴、手段、または命令を含み得、ここで、セル選択パラメータはブロードキャストセル選択情報に少なくとも部分的に基づく。
【００１６】
[0016]方法、装置、または非一時的なコンピュータ可読媒体のいくつかの例では、セル選択パラメータは、アクセスネットワークの第１無線アクセス技術（ＲＡＴ）と関連付けられ、方法はさらに、第２アクセスネットワークの第２ＲＡＴと関連付けられた第２セル選択パラメータを修正するためのステップ、特徴、手段、または命令を含み得、ここで、第２ＲＡＴは第１ＲＡＴとは異なる。
【００１７】
[0017]方法、装置、または非一時的なコンピュータ可読媒体のいくつかの例では、アクセスネットワークは、公衆陸上モバイルネットワーク（ＰＬＭＮ）である。方法、装置、または非一時的なコンピュータ可読媒体のいくつかの例は、モバイル国コード（ＭＣＣ）に少なくとも部分的に基づいてアクセスネットワークを識別するためのステップ、特徴、手段、または命令を含み得る。
【００１８】
[0018]方法、装置、または非一時的なコンピュータ可読媒体のいくつかの例は、ＵＥがアクセスネットワークの境界領域に位置すると決定するためのステップ、特徴、手段、または命令を含み得る。方法、装置、または非一時的なコンピュータ可読媒体のいくつかの例では、ＵＥが境界領域に位置すると決定することは、ＵＥについての全地球測位システム（ＧＰＳ）座標のセットを識別するためのステップ、特徴、手段、または命令を含み得、ここで、ＧＰＳ座標のセットは境界領域に対応する。
【００１９】
[0019]方法、装置、または非一時的なコンピュータ可読媒体のいくつかの例では、ＵＥが境界領域に位置すると決定することは、第２アクセスネットワークのモバイル国コード（ＭＣＣ）を識別するためのステップ、特徴、手段、または命令を含み得、ここで、第２アクセスネットワークのＭＣＣはアクセスネットワークのＭＣＣと異なる。
【００２０】
[0020]方法、装置、または非一時的なコンピュータ可読媒体のいくつかの例では、ＵＥが境界領域に位置すると決定することは、識別された訪問者公衆陸上モバイルネットワーク（ＶＰＬＭＮ）がバックグラウンド公衆陸上モバイルネットワーク（ＢＰＬＭＮ）データベースに対応すると決定するためのステップ、特徴、手段、または命令を含み得る。
【００２１】
[0021]方法、装置、または非一時的なコンピュータ可読媒体の上で記述されるいくつかの例では、ＵＥが境界地域に位置すると決定することは、ＢＬＥＲが閾値を越えると決定することを含む。付加的または代替的に、いくつかの例は、ＢＬＥＲが閾値を越えると決定することに少なくとも部分的に基づいてＶＰＬＭＮを探索するためのプロセス、特徴、手段、または命令を含み得る。方法、装置、または非一時的なコンピュータ可読媒体のいくつかの例では、ＵＥは自動車の受信機であり得る。
【００２２】
[0022]前述のものは、続く詳細な記述がより良く理解されるように本開示に従った例の特徴および技術的利点をやや広く概説した。さらなる特徴と利点は、以下で記述されるだろう。開示される概念および具体例は、本開示と同じ目的を実行するために他の構造を修正または設計するための基礎として容易に利用され得る。そのような等価構造は、添付された特許請求の範囲から逸脱しない。本明細書で開示される概念の特徴、それらの構成および方法の動作の両方は、関連する利点とともに、添付の図面とともに熟考されれば、以下の記述からより良く理解されるだろう。図面の各々は、特許請求の範囲の限定としてではなく図示および記述のみの目的で提供される。
【図面の簡単な説明】
【００２３】
[0023]本開示の性質および利点のさらなる理解は、以下の図面を参照することによって実現され得る。添付された図面では、同様のコンポーネントまたは特徴は、同じ参照ラベルを有し得る。同じタイプの様々なコンポーネントは、参照ラベルにダッシュおよび同様のコンポーネントを相互に区別する第２ラベルが続くことによって区別され得る。第１参照ラベルのみが明細書中で使用される場合、この記述は、第２参照ラベルに関係なく同じ第１参照ラベルを有する同様のコンポーネントのうちのいずれにも当てはまる。
【図１】[0024]本開示の態様に従ったワイヤレス通信システムの例を図示する。
【図２】[0025]本開示の態様に従った、アップリンク通信とダウンリンク通信との間の非対称状態を有するデバイスのためのセル選択のためのワイヤレス通信システムの例を図示する。
【図３】[0026]本開示の態様に従った、アップリンク通信とダウンリンク通信との間の非対称状態を有するデバイスのためのセル選択のための工程フロー図の例を図示する。
【図４】[0027]本開示の態様に従った、アップリンク通信とダウンリンク通信との間の非対称状態を有するデバイスのためのセル選択向けに構成されたワイヤレスデバイスのブロック図を示す。
【図５】[0028]本開示の態様に従った、アップリンク通信とダウンリンク通信との間の非対称状態を有するデバイスのためのセル選択のためのワイヤレスデバイスのブロック図を示す。
【図６】[0029]本開示の態様に従った、アップリンク通信とダウンリンク通信との間の非対称状態を有するデバイスのためのセル選択のためのワイヤレスデバイスのコンポーネントであり得るセル選択モジュールのブロック図を示す。
【図７】[0030]本開示の態様に従った、アップリンク通信とダウンリンク通信との間の非対称状態を有するデバイスのためのセル選択向けに構成されたＵＥを含むシステムの図を示す。
【図８】[0031]本開示の態様に従った、アップリンク通信とダウンリンク通信との間の非対称状態を有するデバイスのためのセル選択のための方法を示すフローチャートを示す。
【図９】[0032]本開示の態様に従った、アップリンク通信とダウンリンク通信との間の非対称状態を有するデバイスのためのセル選択のための方法を示すフローチャートを示す。
【図１０】[0033]本開示の態様に従った、アップリンク通信とダウンリンク通信との間の非対称状態を有するデバイスのためのセル選択のための方法を示すフローチャートを示す。
【図１１】[0034]本開示の態様に従った、アップリンク通信とダウンリンク通信との間の非対称状態を有するデバイスのためのセル選択のための方法を示すフローチャートを示す。
【図１２】[0035]本開示の態様に従った、アップリンク通信とダウンリンク通信との間の非対称状態を有するデバイスのためのセル選択のための方法を示すフローチャートを示す。
【図１３】[0036]本開示の態様に従った、アップリンク通信とダウンリンク通信との間の非対称状態を有するデバイスのためのセル選択のための方法を示すフローチャートを示す。
【発明を実施するための形態】
【００２４】
[0037]様々なユーザ機器（ＵＥ）が、物理的制約に起因しようと環境上の制約に起因しようと、非対称のアップリンク／ダウンリンク（ＵＬ／ＤＬ）能力を有し得、または経験し得る。この非対称は、いくつかの場合において、公衆陸上モバイルネットワーク（ＰＬＭＮ）の境界（例えば、縁）の近くでより目立ち得る。例えば、屋根上アンテナを有する自動車モデムのような高利得ユーザ機器（ＨＧ−ＵＥ）は、スマートフォンアンテナより潜在的に１０〜１５ｄＢ高いアンテナ利得を有し得る。高利得能力ゆえに、ＨＧ−ＵＥは、それが例えば制限されたＵＬ送信電力に基づいて通信することができないであろう基地局からＤＬ信号を受信でき得る。ＵＬ送信能力に対するＤＬ信号受信能力の関係がシステム標準から外れるこの状況は、モビリティの決定に影響する可能性があり、本明細書では非対称ＵＬ／ＤＬ状態と称される。高利得アンテナの使用のような、対応する能力が関係する場合、これらの能力は非対称ＵＬ／ＤＬ能力と称され得る。しかしながら、普通のユーザ機器がある事例において非対称ＵＬ／ＤＬ状態を経験し得ること、本開示が特定のハードウェアまたはソフトウェア能力に制限されないことが認識されるだろう。
【００２５】
[0038]１つのそのような非対称ＵＬ／ＤＬ状態は、高利得ＵＥ（ＨＧ−ＵＥ）が相違するＰＬＭＮ、例えばホームＰＬＭＮ（ＨＰＬＭＮ）および訪問者（visitor）ＰＬＭＮまたは訪問先（visited）ＰＬＭＮ（ＶＰＬＭＮ）の範囲内にある場合に発生する可能性がある。これは、例えば、ＨＧ−ＵＥが国境を横断している場合に起こり得る。そのようなシナリオでは、サービングセルを選択するためにＵＥによって使用されるセル選択基準が高受信アンテナ利得ゆえに遠くのセルによって満たされ得るのに、ＵＥはＵＬ送信電力の制限によりこの遠くのセルと通信できない場合がある。いくつかの例において、あるセルへ接続するべきかどうかを決定するためにＵＥによって使用されるセル選択基準に関連付けられたパラメータは、システム情報メッセージを介してネットワークによってシグナルされ得る。しかしながら、様々なタイプのＵＥのためのパラメータの相違するセットがシグナルされることはない場合がある。それゆえ、ＨＧ−ＵＥは、このＵＥにとって利用可能なより適切なアップリンク特性を有するＶＰＬＭＮがあるにも関わらず遠くのＨＰＬＭＮ上に留まり得るとともにアップリンク失敗を経験し得る。
【００２６】
[0039]現在のＰＬＭＮから去るとともにＶＰＬＭＮを選択するために、ＨＧ−ＵＥは、ＨＧ−ＵＥのセル選択基準に関連付けられた様々なパラメータを修正し得る。例えば、ＨＧ−ＵＥは非対称ＵＬ／ＤＬ状態を識別し得、また、非対称ＵＬ／ＤＬ状態の識別に基づいてセル選択パラメータへの修正を行い得る。いくつかの例において、ＵＬ／ＤＬ非対称を識別することは、ＤＬ受信範囲がＵＬ送信範囲より大きいと決定することを含み得、または高利得アンテナの利用可能性を識別することを含み得る。いくつかの例では、ＵＬ／ＤＬ非対称を識別することは、送信失敗の数が閾値を越えると決定することのような送信失敗の数に基づき得る。
【００２７】
[0040]いくつかの例では、セル選択基準に対する修正は、ＵＥがアクセスネットワークの境界領域に位置する、またはいくつかの無線アクセスネットワークの近隣の場所に位置すると決定することに基づき得る。例えば、修正は、既知のネットワーク境界地域およびＵＥの位置に関連付けられた全地球測位システム（ＧＰＳ）座標に基づき得る。例えば、ＵＥは、それが国境（これは、ＰＬＭＮ境界とほぼ一致し得る）に近い時を決定するためにそのＧＰＳ座標を使用し得、また、そのセル選択基準のパラメータをオフセットすることによって応答し得る。修正は、ＵＥが近隣のＶＰＬＭＮのセルからの異なるモバイル国コード（ＭＣＣ）を検出する場合にも起こり得る。
【００２８】
[0041]いくつかの例では、セル選択基準に対する修正は、ＵＥによる選択のためにセルをランク付けるために使用されるパラメータを修正することを含み得る。例えば、セル選択パラメータは、選択をバイパスする形で、またはそうでなければ非対称ＵＬ／ＤＬ状態によって悪影響を受け得るセルの選択ランクを下げる形で変更され得る。そのような潜在的な非対称ＵＬ／ＤＬ状態が識別されると、ＵＥは修正されたセル選択基準に基づいてＶＰＬＭＮのためのセル選択手順を実行し得る。いくつかの場合において、ＵＥは現存のバックグラウンドＰＬＭＮ（ＢＰＬＭＮ）データベースからＶＰＬＭＮを探し得る。例えば、複数の送信失敗を検出した後、ＵＥはそれがＶＰＬＭＮでキャンプできるようにそれが現在のサービングセルとの同期ずれ（ＯＯＳ）にあると宣言し得る。別の例において、ＵＥは、無線リンク失敗（ＲＬＦ）および中断されたコールに帰着する高いアップリンクブロック誤り率（ＢＬＥＲ）を経験し得る。高ＢＬＥＲを経験することに応答して、ＵＥは、より良いＶＰＬＭＮセルを見つけるためにＰＬＭＮ選択を試み得る。
【００２９】
[0042]さらに別の例において、ＵＥは密集した位置にあり得、複数のＰＬＭＮと通信でき得る。そのようなＵＥは、いくつかのネットワーク境界ひいては（例えば欧州内の）いくつかの高密度に配列されたＰＬＭＮの近くにあり得、または、ＵＥは１か国内のいくつかのＰＬＭＮの近くにあり得る。そのようなシナリオでは、ＵＥは、それが現在接続されているＰＬＭＮ以外のＰＬＭＮとより容易に通信できる場合がある。したがって、ＵＥは非対称ＵＬ／ＤＬ状態を識別でき、また、ＵＥは、その性能を向上させるために、識別された非対称ＵＬ／ＤＬ状態に基づいてアクセスネットワークに関連付けられたセル選択パラメータを修正し得る。
【００３０】
[0043]本開示の態様によれば、セル選択パラメータの修正は、任意の無線アクセス技術（ＲＡＴ）について起こり得る。いくつかの場合において、種々の世代のＲＡＴが、同じネットワーク中に存在し得る（例えば１Ｇ、２Ｇ、３Ｇ、または４Ｇ実装形態の様々なステージ）。したがって、あるＰＬＭＮセルは第１ＲＡＴで動作し得、別のＰＬＭＮセル（例えば、ＶＰＬＭＮセル）は第２ＲＡＴで動作し得る。セル選択パラメータは、相違するＲＡＴにとって異なり得、また、パラメータは、近隣ＰＬＭＮへの効率的な移行を確実にするようにしかるべく適合され得る。いくつかの場合において、これは、ネットワークブロードキャスト選択パラメータを適合またはバイパスすることを含み得る。したがって、ＵＥは、停止期間を減じ得、また、遅延が減じられるＶＰＬＭＮを発見し、そのようなＶＰＬＭＮに接続することによってサービスを向上させ得る。
【００３１】
[0044]下の記述は例を提供し、特許請求の範囲に記載される範囲、適用可能性、または例を限定しない。詳述される要素の機能および配置における変更が、本開示の範囲から逸脱することなくなされ得る。様々な例は、適切な場合、様々な手順またはコンポーネントを省略、置換、または付加し得る。例えば、記述される方法は、記述される順序と異なる順序で実行され得、また、様々なステップが付加、省略、結合され得る。また、いくつかの例に関して記述される複数の特徴は、他の例において組み合わせられ得る。
【００３２】
[0045]図１は、本開示の態様に従ったワイヤレス通信システム１００の例を図示する。ワイヤレス通信システム１００は、基地局１０５、少なくとも１つのＵＥ１１５、およびコアネットワーク１３０を含み得る。コアネットワーク１３０は、ユーザ認証、アクセス承認、トラッキング、インターネットプロトコル（ＩＰ）接続、および他のアクセス、ルーティング、またはモビリティ機能を提供し得る。基地局１０５は、バックホールリンク１３２（例えば、Ｓ１など）を通じてコアネットワーク１３０とインターフェースを取る。基地局１０５は、ＵＥ１１５との通信のための無線構成およびスケジューリングを実行し得、または基地局コントローラ（図示せず）の制御下で動作し得る。様々な例において、基地局１０５は、直接または間接的に（例えば、コアネットワーク１３０を通じて）バックホールリンク１３４（例えば、Ｘ１など）上で互いに通信し得る。バックホールリンク１３４は、ワイヤード通信リンクであってもよいし、ワイヤレス通信リンクであってもよい。
【００３３】
[0046]基地局１０５は、１つまたは複数の基地局アンテナを介してＵＥ１１５とワイヤレス通信し得る。基地局１０５の各々は、それぞれの地理的カバレッジエリア１１０に通信カバレッジを提供し得る。いくつかの例では、基地局１０５は、基地トランシーバ局、無線基地局、アクセスポイント、無線トランシーバ、ノードＢ、ｅノードＢ（ｅＮＢ）、ホームＮｏｄｅＢ、ホームｅノードＢ、または他の何らかの適切な専門用語として称され得る。基地局１０５のための地理的カバレッジエリア１１０は、このカバレッジエリアの一部だけを構成するセクタ（図示せず）に分割され得る。ワイヤレス通信システム１００は、種々のタイプの基地局１０５（例えば、マクロセル基地局またはスモールセル基地局）を含み得る。基地局１０５の各々は、１つまたは複数の通信技術を使用して通信するように構成され得、相違する技術のための重なり合う地理的カバレッジエリア１１０があり得る。
【００３４】
[0047]いくつかの例では、ワイヤレス通信システム１００は、ロングタームエボルーション（ＬＴＥ）／ＬＴＥアドバンスト（ＬＴＥ−Ａ）ネットワークを含む。ＬＴＥ／ＬＴＥ−Ａネットワークでは、用語エボルブドノードＢ（ｅＮＢ）は基地局１０５を記述するために使用され得、一方で、用語ＵＥはＬＴＥ／ＬＴＥ−Ａネットワーク上で動作する様々なワイヤレス通信デバイスを記述するために使用され得る。ワイヤレス通信システム１００は、例えば、様々なタイプの基地局１０５が様々な地理的地域にカバレッジを提供する異種ＬＴＥ／ＬＴＥ−Ａネットワークを含み得る。例えば、各基地局１０５は、マクロセル、スモールセル、または他のタイプのセルに通信カバレッジを提供し得る。用語「セル」は、文脈に依存して、基地局、基地局に関連付けられたキャリアまたはコンポーネントキャリア、あるいはキャリアまたは基地局のカバレッジエリア（例えば、セクタなど）を記述するために使用されることができる３ＧＰＰ（登録商標）用語である。ワイヤレス通信システム１００はまた、例えばＵＭＴＳ、ＣＤＭＡ２０００、ＧＳＭ（登録商標）などに従って下で詳述されるように通信する基地局も含み得る。
【００３５】
[0048]マクロセルは、一般に、比較的大きな地理的領域（例えば、半径数キロメートル）をカバーし、ネットワークプロバイダにサービス加入しているＵＥによる無制限のアクセスを許可し得る。スモールセルは、マクロセルと比較してより低電力でマクロセルと同じまたは異なる（例えば、免許ありで、免許なしで、など）周波数バンドで動作し得る基地局である。スモールセルは、様々な例に従ってピコセル、フェムトセル、およびマイクロセルを含み得る。ピコセルは、比較的より小さな地理的領域をカバーし得、また、ネットワークプロバイダとのサービス加入を有するＵＥによる無制限のアクセスを可能にし得る。フェムトセルも比較的小さな地理的領域（例えば、家）をカバーし得、フェムトセルと関連を有するＵＥ（例えば、閉じた加入者グループ（ＣＳＧ）中のＵＥ、家の中のユーザのためのＵＥなど）による制限されたアクセスを提供し得る。マクロセルのための基地局は、マクロ基地局と称され得る。スモールセルのための基地局は、スモールセル基地局、ピコ基地局、フェムト基地局、またはホーム基地局と称され得る。基地局は、１つまたは複数（例えば２、３、４、など）のセル（例えば、コンポーネントキャリア）をサポートし得る。
【００３６】
[0049]ワイヤレス通信システム１００は、同期動作または非同期動作をサポートし得る。同期動作の場合、基地局１０５は類似のフレームタイミングを有し得、また、相違する基地局１０５からの送信は時間的にほぼ整列され得る。非同期動作の場合、基地局１０５は種々のフレームタイミングを有し得、また、相違する基地局１０５からの送信は時間的に整列されない場合がある。本明細書で記述される技法は、同期動作または非同期動作のいずれかのために使用され得る。
【００３７】
[0050]様々な開示される例を受け入れ得る通信ネットワークは、レイヤ状のプロトコルスタックに従って動作するパケットベースのネットワークであり得、また、ユーザプレーン中のデータはＩＰに基づき得る。無線リンクコントロール（ＲＬＣ）レイヤは、論理チャネル上で通信するためにパケット分割およびパケット再構成を実行し得る。媒体アクセス制御（ＭＡＣ）レイヤは、論理チャネルの優先順位処理およびトランスポートチャネル中への多重化を実行し得る。ＭＡＣレイヤはまた、リンク効率を向上させるためにＭＡＣレイヤでの再送信を提供するためにハイブリッド自動再送要求（ＨＡＲＱ）を使用し得る。制御プレーンでは、無線リソース管理（ＲＲＣ）プロトコルレイヤは、ＵＥ１１５と基地局１０５との間のＲＲＣ接続の確立、構成、および維持を提供し得る。ＲＲＣプロトコルレイヤは、ユーザプレーンデータのための無線ベアラのコアネットワーク１３０サポートのためにも使用され得る。物理（ＰＨＹ）レイヤにおいて、トランスポートチャネルは物理チャネルへマッピングされ得る。
【００３８】
[0051]ＵＥ１１５は、ワイヤレス通信システム１００の全体に亘って分散し得、また、各ＵＥ１１５は、据え置き型であってもよいしモバイル型であってもよい。ＵＥ１１５はまた、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の適切な専門用語を含み得、またはそのように当業者によって称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥ１１５は、いくつかの例では、ＨＧ−ＵＥであり得る。ＵＥは、マクロ基地局、スモールセル基地局、中継基地局などを含む様々なタイプの基地局およびネットワーク機器と通信でき得る。
【００３９】
[0052]ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は、順方向リンク送信と称され得、また、アップリンク送信は逆方向リンク送信と称され得る。各通信リンク１２５は、１つまたは複数のキャリアを含み得、ここで、各キャリアは上で記述される様々な無線技術に従って変調された複数のサブキャリア（例えば、相違する周波数の波形信号）から構成される信号であり得る。各変調された信号は、異なるサブキャリア上で送られ得、また、制御情報（例えば、参照信号、制御チャネルなど）、オーバーヘッド情報、ユーザデータなどを搬送し得る。通信リンク１２５は、（例えば、ペアのスペクトルリソースを使用して）周波数分割二重（ＦＤＤ）動作または（例えば、ペアでないスペクトルリソースを使用して）時分割二重（ＴＤＤ）動作を使用して、双方向通信を送信し得る。フレーム構造は、ＦＤＤ用（例えば、フレーム構造タイプ１）におよびＴＤＤ用（例えばフレーム構造タイプ２）に定義され得る。
【００４０】
[0053]ＬＴＥ／ＬＴＥ−Ａは、ダウンリンク上の直交周波数分割多元接続（ＯＦＤＭＡ）およびアップリンク上のシングルキャリア周波数分割多元接続（ＳＣ−ＦＤＭＡ）を含むマルチキャリア変調（ＭＣＭ）技法を利用する。各ＭＣＭキャリアは、複数のサブキャリア（例えば、直交サブキャリアなど）から構成された波形信号であり、サブキャリアは、トーン、ビンなどと称され得る。各サブキャリアは、情報（例えば参照信号、制御情報、オーバーヘッド情報、ユーザデータなど）によって変調され得る。隣接するサブキャリア間の間隔は固定され得、また、サブキャリアの総数（Ｋ）はキャリアバンド幅に依存し得る。例えば、Ｋは、１５キロヘルツ（ｋＨｚ）のサブキャリア間隔で７２、１８０、３００、６００、９００、または１２００に等しくあり得、これらはそれぞれ（ガードバンドを有する）１．４、３、５、１０、１５、または２０メガヘルツ（ＭＨｚ）のキャリアバンド幅に対応する。キャリアバンド幅は、サブバンドへ区分化され得る。例えば、１つのサブバンドは１．０８ＭＨｚをカバーし得、また、キャリアは１、２、４、８、または１６個のサブバンドを有し得る。
【００４１】
[0054]ワイヤレス通信システム１００のいくつかの例では、基地局１０５またはＵＥ１１５は、基地局１０５とＵＥ１１５との間での通信品質および信頼性を向上させるために、アンテナダイバーシチスキームを使用するための複数のアンテナを含み得る。付加的または代替的に、基地局１０５またはＵＥ１１５は、同じまたは相違する符号化されたデータを搬送する複数の空間レイヤを送信するために、マルチパス環境上で動作するように構成され得る多入力多出力（ＭＩＭＯ）技法を使用し得る。
【００４２】
[0055]ワイヤレス通信システム１００は、複数のセルまたは複数のキャリア上での動作をサポートし得、その特徴はキャリアアグリゲーション（ＣＡ）またはマルチキャリア動作と称され得る。用語コンポーネントキャリア（ＣＣ）は、ＣＡ動作中においてＵＥによって利用される複数のキャリアの各々を指し得、システムバンド幅の別の部分（例えば、別のキャリアなど）とは別個のものであり得る。ＣＡ動作では、ＵＥ１１５は、より大きな動作バンド幅を提供するために複数のダウンリンクＣＣおよび／または複数のアップリンクＣＣを同時に利用できるように構成され得、これはより高いデータレートをサポートし得る。ＣＡ動作において使用されるＣＣは、任意の適切なバンド幅（例えば、１．４、３、５、１０、１５、または２０メガヘルツ（ＭＨｚ）など）であり得、また、いくつかの例では各個々のＣＣはシングルキャリア（例えば、ＬＴＥ規格のリリース８またはリリース９に基づくシングルキャリア）と同じ能力を提供し得る。したがって、個々のＣＣは、レガシーＵＥ１１５（例えば、ＬＴＥリリース８またはリリース９を実装するＵＥ１１５）と後方互換を有し得、一方で、ＣＡ向けまたはシングルキャリアモード向けに構成される他のＵＥ１１５（例えば、リリース８またはリリース９後のＬＴＥバージョンを実装するＵＥ１１５）によっても利用される。あるいは、ＣＣは他のＣＣと組み合わせて使用されるように構成されてもよいし、シングルキャリアモードをサポートするために使用されるいくつかのチャネル（例えば、フォーマットチャネルまたは制御チャネルなど）を搬送しないかもしれない。様々な例において、ＣＡはＦＤＤコンポーネントキャリアおよびＴＤＤコンポーネントキャリアの両方とともに使用され得る。
【００４３】
[0056]ワイヤレス通信システム１００は、７００ＭＨｚから２６００ＭＨｚ（２．６ＧＨｚ）までの周波数バンドを使用する極超短波（ＵＨＦ）周波数領域で動作するセルを有し得、ただし、いくつかの場合では、無線ローカルエリアネットワーク（ＷＬＡＮ）ネットワークは４ＧＨｚもの高い周波数を使用し得る。この領域は、波長が長さ約１デシメートルから１メートルまで及ぶので、デシメートルバンドとしても知られ得る。ＵＨＦ波は主に見通線によって伝搬し、建物および環境上の特徴によって遮られ得る。しかしながら、この波は、屋内に位置するＵＥ１１５に対するサービスを提供するのに十分に壁を通過し得る。ＵＨＦ波の送信は、スペクトルの高周波（ＨＦ）部分または超短波（ＶＨＦ）部分のより小さな周波数（かつより長い波）を使用する送信と比較して、より小さいアンテナおよびより短い範囲（例えば１００ｋｍ未満）によって特徴付けられる。
【００４４】
[0057]ワイヤレスネットワークにアクセスすることを試みるＵＥ１１５は、基地局１０５からの第１同期信号（ＰＳＳ）を検出することによって、最初のセル探索を実行し得る。ＰＳＳは、スロットタイミングの同期を可能にし得、また、物理レイヤアイデンティティー値を示し得る。次いで、ＵＥ１１５は、第２同期信号（ＳＳＳ）を受信し得る。ＳＳＳは、無線フレーム同期を可能にし得、また、セルアイデンティティー値を提供し得る。セルアイデンティティー値は、セルを識別するために物理レイヤアイデンティティー値と結合され得る。ＳＳＳはまた、二重化モードおよびサイクリックプレフィックス長さの検出を可能にし得る。ＴＤＤシステムのようないくつかのシステムは、ＰＳＳではなくＳＳＳを送信し得る。ＰＳＳおよびＳＳＳを受信した後、ＵＥ１１５は、マスタ情報ブロック（ＭＩＢ）を受信し得る。マスタ情報ブロックは、物理ブロードキャストチャネル（ＰＢＣＨ）中で送信され得る。ＭＩＢは、システムバンド幅情報、システムフレーム番号（ＳＦＮ）、および物理ＨＡＲＱインジケータチャネル（ＰＲＩＣＨ）構成を含み得る。ＭＩＢを復号した後、ＵＥ１１５は、１つまたは複数のシステム情報ブロック（ＳＩＢ）を受信し得る。例えば、ＳＩＢ１は、セルアクセスパラメータおよび他のＳＩＢについてのスケジューリング情報を含み得る。ＳＩＢ１を復号することは、ＵＥ１１５がＳＩＢ２を受信することを可能にし得る。ＳＩＢ２は、ランダムアクセスチャネル（ＲＡＣＨ）手順、ページング、物理アップリンク制御チャネル（ＰＵＣＣＨ）、物理アップリンク共有チャネル（ＰＵＳＣＨ）、電力制御、ＳＲＳ、およびセルバーリングと関係するＲＲＣ構成情報を含み得る。
【００４５】
[0058]ＵＥ１１５はまた、基地局１０５との接続の確立のためのセル選択手順を実行し得る。例えば、ＵＥ１１５は、特定の基準が満たされたことを確認した後、基地局１０５のセルにキャンプし得る。いくつかの場合において、ＵＥ１１５はまず、適切なセルを求めて、サポートされる周波数バンドのセットをスキャンし得る。次に、ＵＥ１１５は、各キャリアについての信号の強度に基づいて選択し得る。選択（Ｓ）基準はまた、セルが適切かどうかを決定するために使用され得る。例えば、下の等式のような等式が、セル選択についての基準が満たされるかどうかを決定するために使用され得る（例えば、セルは、セル選択受信レベルＳｒｘ１ｅｖが０を超える場合に適切であり得る）。
Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆ）−Ｐｃｏｍｐ  （１）
ここで、
Ｐｃｏｍｐ＝ｍａｘ（ＰＥｍａｘ−ＰＵｍａｘ，０）                             （２）
[0059]Ｑｒｘ１ｅｖｍｅａｓは、このセルについての測定された受信強度、すなわち参照信号受信電力（ＲＳＲＰ）であり得る。これは、測定バンド幅に亘る電力についての線形の平均であり得る。Ｑｒｘｌｅｖｍｉｎは、デシベルミリワット（ｄＢｍ）で与えられた、セルの最小受信レベルであり得る。これは、高次レイヤによってＳＩＢ１の一部として提供され得る。Ｑｒｘｌｅｖｍｉｎｏｆｆは、訪問者ＰＬＭＮ（ＶＰＬＭＮ）中で正常にキャンプされる間により優先度の高いＰＬＭＮを求める周期的探索に基づいて考慮に入れられ得るＱｒｘ１ｅｖｍｉｎに対するオフセットであり得る。このオフセットもＳＩＢ１から引き出され得る。Ｐｃｏｍｐは、ＰＥｍａｘ−ＰＵｍａｘまたは０の最大の方であり、ここで、ＰＥｍａｘはセルにおいて許される最大電力であり、ＰＵｍａｘはＵＥ１１５の最大の送信電力である。したがって、ＵＥ１１５は、（例えば、種々のＰＬＭＮからの）いくつかのセルを受信し得、ＳＩＢ１を読んでからセルを選択し、このセルがそのホームＰＬＭＮに属するかどうかを決定し、上の基準（または他のセル選択基準）を適用する。
【００４６】
[0060]いくつかの場合において、ＵＥ１１５は、無線リンクが失敗したと決定し得、また、無線リンク失敗（ＲＬＦ）手順を開始し得る。例えば、ＲＬＦ手順は、再送信の最大数が到達したというＲＬＣインジケーションで、同期ずれ（ＯＯＳ）インジケーションの最大数の受信で、またはＲＡＣＨ手順の間の無線失敗で、始動され得る。いくつかの場合では（例えば、同期ずれインジケーションについての限界に達すると）、ＵＥ１１５はタイマを始動し、同期中インジケーションの閾値数が受信されるかどうかを決定するために待機する。同期中インジケーションの数がタイマの終了に先立って閾値を越えると、ＵＥ１１５はＲＬＦ手順を中止し得る。そうでなければ、ＵＥ１１５は、ネットワークへのアクセスを回復するためにＲＡＣＨ手順を実行し得る。ＲＡＣＨ手順は、Ｃ−ＲＮＴＩ、セル識別情報（ＩＤ）、セキュリティ検証情報、および再確立のための原因を含むＲＲＣ接続再確立要求を送信することを含み得る。この要求を受信する基地局１０５は、ＲＲＣ接続再確立メッセージまたはＲＲＣ接続再確立拒否のいずれかで応答し得る。ＲＲＣ接続再確立メッセージは、セキュリティキーを生成するための情報だけでなくＵＥ１１５のためのシグナリング無線ベアラ（ＳＲＢ）を確立するためのパラメータも含み得る。一旦ＵＥ１１５がＲＲＣ接続確立メッセージを受信すれば、それは新しいＳＲＢ構成を実施し、ＲＲＣ接続再確立完了メッセージを基地局１０５に送信し得る。いくつかの場合において、ネットワークから切断すること、およびＲＬＦ条件が満たされる前にセル選択手順を実行することが適切であり得る。例えば、ＲＬＦ条件はＤＬ状態に基づき得るが、ＵＥ１１５はＵＬ上でサービングセルと効率的に通信することができないかもしれない。
【００４７】
[0061]ＵＥ１１５は、セル境界を横断することがあり、または重なり合うカバレッジエリア内に位置することがある。いくつかの場合において、ＵＥ１１５は、複数の基地局１０５と通信するカバレッジエリア１１０内に位置することがある。いくつかの例において、ＵＥ１１５は高利得アンテナを所有し得（例えば、ＨＧ−ＵＥとして記述され得）、そうでなければ非対称ＵＬ／ＤＬ状態で動作し得、したがって、比較的長い範囲で基地局１０５から送信を受信でき得る。しかしながら、ＵＥ１１５は、送信機の制限に起因してアップリンク上での失敗を経験し得る。例えば、ＵＥ１１５は、それがＰＬＭＮセルおよびＶＰＬＭＮセルの両方から受信する範囲内であり得るＰＬＭＮ境界領域に位置することがある。例えば、ＵＥ１１５は、高利得（例えば屋根上）アンテナを有する自動車モデムであり得、国境または他の行政上の境界の近くを移動するか、そのような国境または境界を横断し得る。または、ＵＥ１１５は、ＰＬＭＮが密集する領域中にあり得る。ＵＥ１１５は、より好ましいＶＰＬＭＮセルが利用可能であるにも関わらず、また複数のアップリンクエラーの受信にも関わらず、現在のサービングＰＬＭＮセル（例えば、そのホームＰＬＭＮ（ＨＰＬＭＮ）のセル）に接続されたままであり得る。したがって、ＵＥ１１５は、より好ましいＶＰＬＭＮを求めて現在のＰＬＭＮ（例えば、ＨＰＬＭＮ）から去るためにセル選択パラメータ（例えばＱｒｘ１ｅｖｍｉｎｏｆｆ）を修正し得る。
【００４８】
[0062]例えば、ＵＥ１１５は、ＵＥ１１５の非対称ＵＬ／ＤＬ状態を識別し得、識別された非対称に基づいてセル選択基準に対する修正をなし得る。いくつかの例では、ＵＬ／ＤＬ非対称を識別することは、ＤＬ受信範囲がＵＬ送信範囲より大きいと決定することを含み得る。いくつかの例では、非対称ＵＬ／ＤＬ状態を識別することは、高利得アンテナの利用可能性を識別することを含み得る。いくつかの例では、非対称ＵＬ／ＤＬ状態を識別することは、送信失敗の数が閾値を越えると決定するような送信失敗の数に基づき得る。付加的または代替的に、ＵＥ１１５は、ＧＰＳ座標を監視すること、ネットワークのモバイル国コードを識別すること、複数の送信失敗を経験した後にバックグラウンドＰＬＭＮを探索すること、または高いＢＬＥＲを検出することによって、ＵＥ１１５がアクセスネットワークの境界領域にあると識別し得る。
【００４９】
[0063]図２は、本開示の態様に従った、アップリンク通信とダウンリンク通信との間の非対称状態を有するデバイスのためのセル選択のためのワイヤレス通信システム２００の例を示す。ワイヤレス通信システム２００はＵＥ１１５−ａを含み得、ＵＥ１１５−ａは、図１を参照して記述されるＵＥ１１５の例であり得る。ワイヤレス通信システム２００はまた、基地局１０５−ａおよび１０５−ｂを含み得、基地局１０５−ａおよび１０５−ｂは、図１を参照して記述される基地局１０５の例であり得、基地局１０５は（例えば、国境２１５の異なる側に位置することに起因して）種々のＰＬＭＮの中に位置し得る。基地局１０５−ａおよびＵＥ１１５−ａは、図１を参照して一般的に記述されるように、ＵＥ１１５−ａがカバレッジエリア１１０−ａ内にあると、ダウンリンク２０５およびアップリンク２１０を介して互いに通信し得る。
【００５０】
[0064]いくつかの場合において、ＵＥ１１５−ａは、非対称ＵＬ／ＤＬ能力を有し得る。例えば、ＵＥ１１５−ａは、ＤＬ受信範囲がＵＬ送信範囲より大きいことに帰着する高利得アンテナを有し得る。非対称ＵＬ／ＤＬ能力を有するＵＥ１１５は、ＨＧ−ＵＥのカテゴリに入り得る。ＨＧ−ＵＥは、スマートフォンアンテナのアンテナ利得より約１０〜１５ｄＢ高いアンテナ利得を有し得る。ＨＧ−ＵＥの一例は、屋根上アンテナを有する自動車モデムであり得る。ＨＧ−ＵＥはまた、ハンドヘルドモバイルデバイス、航空機デバイス、航空機、海上船舶、海上デバイスなどであり得る。いくつかの場合では、ＵＥ１１５−ａは固有のハードウェア特性に基づくＨＧ−ＵＥであり得るが、他の場合では、非対称ＵＬ／ＤＬ状態は一時的であり得る。例えば、非対称ＵＬ／ＤＬは、地理的特徴、受信機の一時的な取り付け品、または送信機の一時的制限に基づき得る。
【００５１】
[0065]ＵＥ１１５−ａは、ダウンリンク２０５を介して基地局１０５−ａから通信を受信し得る。ダウンリンク２０５は、セル選択パラメータ（例えばＳパラメータ）を送信し得、セル選択パラメータは、セルへ接続するべきかどうかを決定するためにＵＥ１１５−ａによって使用され得る。一例では、高アンテナ利得はＵＥ１１５−ａがダウンリンク２０５上で基地局１０５−ａからのＤＬ通信を受信することを可能にし得るが、電力制限がアップリンク２１０を介する送信失敗に帰着し得る。受信能力および送信能力の不一致に起因して、（例えばカバレッジエリア１１０−ｂ内の基地局１０５−ｂのための）ＶＰＬＭＮのセルのためのより良い接続が存在するにも関わらず、ＵＥ１１５−ａは、遠方のＰＬＭＮ（すなわち、カバレッジエリア１１０−ａ内の基地局１０５−ａのＰＬＭＮ）上に留まり得、ＵＬ失敗を経験し得る。
【００５２】
[0066]様々な例において、ＵＥ１１５−ａは、それが非対称ＵＬ／ＤＬ能力を有するか、そうでなければ非対称ＵＬ／ＤＬ能力で動作するように構成されているかどうかを識別するように構成され得る。いくつかの例では、ＵＬ／ＤＬ非対称を識別することは、ＵＥ１１５−ａがＤＬ受信範囲がＵＬ送信範囲より大きいと決定することを含み得る。いくつかの例では、非対称ＵＬ／ＤＬ能力を識別することは、高利得アンテナの利用可能性を識別することを含み得る。いくつかの例では、ＵＬ／ＤＬ非対称を識別することは、アップリンク２１０の失敗の数が閾値を越えると決定するような送信失敗の数に基づき得る。非対称ＡＬ／ＤＬ能力と関連付けられ得る非対称ＵＬ／ＤＬ状態を識別した後、ＵＥ１１５−ａは、非対称ＵＬ／ＤＬ状態の識別に基づいてセル選択基準を修正し得る。例えば、ＵＥ１１５−ａは、遠くのＰＬＭＮ上の基地局１０５−ａとのアップリンク２１０の１または複数の失敗を決定し得、ＵＥ１１５−ａとＶＰＬＭＮ（例えば、第２基地局１０５−ｂに関連付けられたＰＬＭＮ）との間の接続を促進する１つまたは複数のセル選択パラメータを修正し得る。
【００５３】
[0067]いくつかの例では、ＵＥ１１５−ａが複数の種々のＰＬＭＮ（例えば、ホームＰＬＭＮ（ＨＰＬＭＮ）およびＶＰＬＭＮ）の範囲内にあり得る場合であるＵＥ１１５−ａが国境２１５の近くに位置する場合、セル選択基準の修正が起こり得る。ＵＥ１１５−ａは、ＵＥが、アクセスネットワークの境界領域に対応し得る国境２１５の近くにあると決定し得る。ＵＥ１１５−ａは、国境２１５に近いことに基づいて、または、それがＰＬＭＮ境界領域に位置するという他の何らかのインジケーションに基づいて、１つまたは複数のセル選択パラメータを修正し得る。これは、適時な、現在のＰＬＭＮからのＵＥ１１５−ａの切断およびＶＰＬＭＮでのセル選択を促進するのを支援し得る。ＵＥ１１５−ａは、例えば、それが国境２１５に位置する時を識別するためにＧＰＳ座標またはＭＣＣコードを利用し得る。他の例では、ＰＬＭＮ境界領域に関する他の条件が使用され得る。いくつかの場合では、ＨＰＬＭＮの基地局１０５−ａは１つのＲＡＴと動作し得、ＶＰＬＭＮの基地局１０５−ｂは第２ＲＡＴと動作し得る。本記述中で使用される場合、ＰＬＭＮ境界またはアクセスネットワーク境界は、ネットワークのカバレッジエリアの端を指し得、それを越えると、ＵＥ１１５は、ネットワークと接続しないかもしれない。したがって、境界領域または境界地域は、ＰＬＭＮまたはアクセスネットワーク境界の近くにある、地理的位置または論理的位置であり得る。
【００５４】
[0068]図３は、本開示の態様に従った、アップリンク通信とダウンリンク通信との間の非対称状態を有するデバイスのためのセル選択のための工程フロー図の例を図示する。工程フロー３００は、ＵＥ１１５−ｂによって実行され得、ＵＥ１１５−ｂは、図１乃至図２を参照して記述されるＵＥ１１５の例であり得る。工程フロー３００はまた、基地局１０５−ｃおよび１０５−ｄを含み得、基地局１０５−ｃおよび１０５−ｄは、図１乃至図２を参照して記述される基地局１０５の例であり得る。いくつかの例では、ＵＥ１１５−ｂは、自動車の受信機のような高利得受信機を含む。
【００５５】
[0069]ステップ３０５において、ＵＥ１１５−ｂは、第１基地局１０５−ｃとの接続を確立し得る。第１基地局１０５−ｃは、ホームＰＬＭＮのようなアクセスネットワークの中に位置し得る。ステップ３１０において、ＵＥ１１５−ｂは、アクセスネットワークからブロードキャストセル選択情報を受信し得る。例えば、基地局１０５−ｃは、ＵＥ１１５−ｂに（例えば、ＳＩＢ１中で）１つまたは複数のセル選択パラメータを送信し得る。ＵＥ１１５−ｂのためのセル選択パラメータ（例えば、セル選択基準の態様に関連付けられた変数）は、ブロードキャストセル選択情報に少なくとも部分的に基づき得、また、セル選択基準は、ＵＥ１１５−ｂによって、それが基地局１０５−ｃと接続を確立するべきかどうかを決定するために使用され得る。
【００５６】
[0070]ステップ３１５において、ＵＥ１１５−ｂは、ＵＥの非対称ＵＬ／ＤＬ状態を識別し得る。いくつかの例では、ＵＬ／ＤＬ非対称を識別することは、ＵＥ１１５−ｂがＤＬ受信範囲がＵＬ送信範囲より大きいと決定することを含み得る。いくつかの例では、非対称ＵＬ／ＤＬ状態を識別することは、高利得アンテナの利用可能性を識別することを含み得る。いくつかの例では、ＵＬ／ＤＬ非対称を識別することは、ＵＥ１１５−ｂから基地局１０５−ｃまでのアップリンク送信失敗の数が閾値を越えると決定するような送信失敗の数に基づき得る。
【００５７】
[0071]いくつかの例では、ＵＥ１１５−ｂは、ＵＥ１１５−ｂがアクセスネットワークの境界地域に位置すると決定し得る。例えば、ＵＥ１１５−ｂは、ＵＥ１１５−ｂについてのＧＰＳ座標のセットを識別することによって、それが境界領域に位置すると決定し得、ここで、このＧＰＳ座標のセットは境界領域に対応する。他の例では、ＵＥ１１５−ｂは、第２アクセスネットワークのＭＣＣを識別することによって、それが境界領域に位置すると決定し得、ここで、第２アクセスネットワークのＭＣＣは、アクセスネットワークのサービングセルのＭＣＣと異なる。さらに別の例では、ＵＥ１１５−ｂは、例えばアクセスネットワークのサービングセル上での送信エラーを検出した後に識別されたＶＰＬＭＮがバックグラウンドＰＬＭＮ（ＢＰＬＭＮ）データベースに対応すると決定することによって、それが境界領域に位置すると決定し得る。付加的または代替的に、ＵＥ１１５−ｂは、ＢＬＥＲが閾値を越える場合にそれが境界領域に位置すると決定し得、このことは、例えば、ＲＬＦおよび中断されたコールに帰着し得る。
【００５８】
[0072]ステップ３２０において、ＵＥ１１５−ｂは、非対称ＵＬ／ＤＬ状態の識別に基づいて、また、適用可能な場合には、ＵＥがアクセスネットワークの境界領域にあると決定することに基づいて、アクセスネットワークに関連付けられた１つまたは複数のセル選択パラメータを修正し得る。例えば、ＵＥ１１５−ｂがＤＬ受信範囲がＵＬ送信範囲より大きいと決定する場合、またはＵＥ１１５−ｂが高利得アンテナの利用可能性を識別する場合、ＵＥ１１５−ｂはセル選択パラメータを修正し得る。いくつかの例では、ＵＥ１１５−ｂがＵＥ１１５−ｂから基地局１０５−ｃまでのアップリンク送信失敗の数が閾値を越えると決定する場合、ＵＥ１１５−ｂはセル選択パラメータを修正し得る。様々な例において、セル選択パラメータを修正することは、１つまたは複数のパラメータを調整すること、またはセル選択基準において適用されるような１つまたは複数の種々のパラメータを使用することの一方または両方を含み得る。
【００５９】
[0073]ＵＥ１１５−ｂは、例えば、その内部セル選択パラメータの１つまたは複数のオフセットを適用することによって、そのセル選択パラメータを修正し得る。いくつかの例では、ＵＥ１１５−ｂは、修正されたセル選択規則に従ってセル選択を実行することによって、セル選択パラメータを修正し得、ここで、修正されたセル選択規則は異なるセル選択パラメータを使用し得る。付加的または代替的に、ＵＥ１１５−ｂは、ＰＬＭＮセル選択パラメータをバイパスすることによって、そのセル選択パラメータを修正し得、バイパスすることは、いくつかの例では、あるＰＬＭＮの選択をバイパスし得る。いくつかの例では、ＵＥ１１５−ｂは、１つのＰＬＭＮ（例えばＨＰＬＭＮ）の１つのＲＡＴ（例えばＬＴＥ）に関するセル選択パラメータを修正し得、また、それは、別のＰＬＭＮ（例えばＶＰＬＭＮ）に関連付けられた別のＲＡＴ（例えばＵＭＴＳ）の別のセル選択パラメータを修正し得る。
【００６０】
[0074]ステップ３２５において、ＵＥ１１５−ｂは、基地局１０５−ｃから切断し得、また、ホームＰＬＭＮから去り得る。別の例では、ＵＥ１１５−ｂは、それがアクセスネットワークのサービングセルのＭＣＣと異なるＭＣＣを検出すると、セル選択を実行するとともに基地局１０５−ｃから切断し得る。さらに別の例では、ＵＥ１１５−ｂは、それがＶＰＬＭＮセルそれを探索して見つけると、それがアクセスネットワークのサービングセルとＯＯＳであると宣言し得るとともに基地局１０５−ｃから切断し得る。さらなる別の例では、ＵＥ１１５−ｂは、それが高ＢＬＥＲおよび中断されたコールを経験すると、ＰＬＭＮ選択を試み得るとともに基地局１０５−ｃから切断し得る。ステップ３３０において、ＵＥ１１５−ｂは、ＶＰＬＭＮ中に位置し得る基地局１０５−ｄとの接続を確立し得る。
【００６１】
[0075]図４は、本開示の態様に従ってアップリンク通信とダウンリンク通信との間の非対称状態を有するデバイスのためのセル選択向けに構成されたワイヤレスデバイス４００のブロック図を示す。ワイヤレスデバイス４００は、図１乃至図３を参照して記述されるＵＥ１１５の態様の例であり得る。ワイヤレスデバイス４００は、受信機４０５、セル選択モジュール４１０、または送信機４１５を含み得る。ワイヤレスデバイス４００はまた、プロセッサを含み得る。これらのコンポーネントの各々は、互いに通信し得る。
【００６２】
[0076]受信機４０５は、パケット、ユーザデータ、または様々な情報チャネル（例えば制御チャネル、データチャネル、およびＰＬＭＮ境界領域中のセル選択と関係する情報など）に関連付けられた制御情報のような情報を受信し得る。情報は、セル選択モジュール４１０、およびワイヤレスデバイス４００の他のコンポーネントに渡され得る。いくつかの例では、受信機４０５は、アクセスネットワーク（例えば、ＰＬＭＮ）からブロードキャストセル選択情報（例えば、セル選択パラメータ）を受信し得、ここで、ワイヤレスデバイス４００のセル選択基準はブロードキャストセル選択情報に基づき得る。いくつかの例では、受信機４０５は自動車の受信機であり得る。
【００６３】
[0077]セル選択モジュール４１０は、ワイヤレスデバイス４００が非対称ＵＬ／ＤＬ状態を有すると決定し得、また、ワイヤレスデバイス４００の非対称ＵＬ／ＤＬ状態を識別することに基づいて、アクセスネットワークに関連付けられたセル選択パラメータを修正し得る。
【００６４】
[0078]送信機４１５は、ワイヤレスデバイス４００の他のコンポーネントから受信された信号を送信し得る。いくつかの例では、送信機４１５は、トランシーバモジュール中で受信機４０５と連結され得る。送信機４１５は、単一のアンテナを含んでもよいし、いくつかのアンテナを含んでもよい。
【００６５】
[0079]図５は、本開示の態様に従った、アップリンク通信とダウンリンク通信との間の非対称状態を有するデバイスのためのセル選択のためのワイヤレスデバイス５００のブロック図を示す。ワイヤレスデバイス５００は、図１乃至図４を参照して記述されるワイヤレスデバイス４００またはＵＥ１１５の態様の例であり得る。ワイヤレスデバイス５００は、受信機４０５−ａ、セル選択モジュール４１０−ａ、または送信機４１５−ａを含み得る。ワイヤレスデバイス５００はまた、プロセッサを含み得る。これらのコンポーネントの各々は、互いに通信し得る。セル選択モジュール４１０−ａはまた、非対称ＵＬ／ＤＬ状態識別モジュール５０５およびセル選択パラメータ修正モジュール５１０を含み得る。
【００６６】
[0080]受信機４０５−ａは、セル選択モジュール４１０−ａに、およびワイヤレスデバイス５００の他のコンポーネントに渡され得る情報を受信し得る。セル選択モジュール４１０−ａは、図４を参照して記述される動作を実行し得る。送信機４１５−ａは、ワイヤレスデバイス５００の他のコンポーネントから受信された信号を送信し得る。
【００６７】
[0081]非対称ＵＬ／ＤＬ状態識別モジュール５０５は、ワイヤレスデバイス５００が図２および図３を参照して記述されるような非対称ＵＬ／ＤＬ状態を有するか、そうでなければそのような非対称ＵＬ／ＤＬ状態で動作するように構成されていると決定し得る。例えば、非対称ＵＬ／ＤＬ状態識別モジュール５０５は、ワイヤレスデバイス５００のためのＤＬ受信範囲がワイヤレスデバイス５００のためのＵＬ送信範囲より大きいと決定し得、これは、高利得アンテナの利用可能性を識別することを含み得る。いくつかの例では、非対称ＵＬ／ＤＬ状態識別モジュール５０５は、ワイヤレスデバイス５００から基地局１０５へのアップリンク送信失敗の数が閾値を越えると決定し得る。
【００６８】
[0082]セル選択パラメータ修正モジュール５１０は、ワイヤレスデバイス５００が図２および図３を参照して記述されるような非対称ＵＬ／ＤＬ能力を有する、またはそうでなければそのような非対称ＵＬ／ＤＬ能力で動作するように構成されていると識別するような、ワイヤレスデバイス５００の非対称ＵＬ／ＤＬ状態を識別することに少なくとも部分的に基づいて、アクセスネットワークに関連付けられたセル選択パラメータを修正し得る。いくつかの例では、セル選択パラメータを修正することは、ＰＬＭＮセル選択パラメータをバイパスまたはオフセットすることを含み得る。セル選択パラメータは、例えば、アクセスネットワークの第１ＲＡＴに関連付けられ得る。セル選択パラメータ修正モジュール５１０は、第２アクセスネットワークの第２ＲＡＴに関連付けられた第２セル選択パラメータを修正し得、ここで、第２ＲＡＴは第１ＲＡＴと異なる。
【００６９】
[0083]図６は、本開示の態様に従った、アップリンク通信とダウンリンク通信との間の非対称状態を有するデバイスのためのセル選択のためのワイヤレスデバイス４００またはワイヤレスデバイス５００のコンポーネントであり得るセル選択モジュール４１０−ｂのブロック図６００を示す。セル選択モジュール４１０−ｂは、図４乃至図５を参照して記述されるセル選択モジュール４１０の態様の例であり得る。セル選択モジュール４１０−ｂは、非対称ＵＬ／ＤＬ状態識別モジュール５０５−ａおよびセル選択パラメータ修正モジュール５１０−ａを含み得る。これらのモジュールの各々は、図５を参照して記述される機能を実行し得る。セル選択モジュール４１０−ｂはまた、受信範囲識別モジュール６０５、境界領域識別モジュール６１０、セル選択モジュール６１５、ＧＰＳモジュール６２０、ＭＣＣモジュール６２５、バックグラウンドＰＬＭＮデータベースモジュール６３０、送信失敗モジュール６３５、ＯＯＳモジュール６４０、およびＢＬＥＲモジュール６４５を含み得る。
【００７０】
[0084]受信範囲識別モジュール６０５は、セル選択モジュール４１０−ｂを含むワイヤレスデバイスについての通信範囲の様々な特性を識別し得る。例えば、受信範囲識別モジュール６０５は、セル選択モジュール４１０−ｂを含むワイヤレスデバイスについてのＤＬ受信範囲を識別し得、受信範囲識別モジュール６０５は、セル選択モジュール４１０−ｂを含むワイヤレスデバイスについてのＵＬ受信範囲を識別し得る。いくつかの例では、受信範囲識別モジュール６０５は、セル選択モジュール４１０−ｂを含むワイヤレスデバイスについての高利得受信機の利用可能性を識別し得る。様々な例において、非対称ＵＬ／ＤＬ状態識別モジュール５０５−ａは、ＵＥのＤＬ受信範囲がＵＥのＵＬ送信範囲より大きいと決定することに基づいて、および／またはＵＥの高利得受信機の利用可能性を識別することに基づいて、セル選択モジュール４１０−ｂを含むワイヤレスデバイスの非対称ＵＬ／ＤＬ能力を識別し得る。
【００７１】
[0085]境界領域識別モジュール６１０は、セル選択モジュール４１０−ｂを含むワイヤレスデバイスが、例えば、それが図２および図３を参照して記述されるように、複数の種々のＰＬＭＮの範囲内にあり得るアクセスネットワークの境界領域に位置すると決定し得る。
【００７２】
[0086]セル選択モジュール６１５は、図２および図３を参照して記述されるように、修正されたセル選択パラメータに少なくとも部分的に基づいて第２アクセスネットワークについてのセル選択手順を実行し得る。
【００７３】
[0087]ＧＰＳモジュール６２０は、ワイヤレスデバイスが境界領域に位置すると決定することがＵＥについてのＧＰＳ座標のセットを識別することを含むように構成され得、ＧＰＳ座標のセットは、図２および図３を参照して記述されるように境界領域に対応し得る。
【００７４】
[0088]ＭＣＣモジュール６２５は、ワイヤレスデバイスが境界領域に位置すると決定することが第２アクセスネットワークのＭＣＣを識別することを含み得るように構成され得、第２アクセスネットワークのＭＣＣは、図２および図３を参照して記述されるように、アクセスネットワークのＭＣＣと異なり得る。ＭＣＣモジュール６２５はまた、ＭＣＣに少なくとも部分的に基づいてアクセスネットワークを識別し得る。
【００７５】
[0089]バックグラウンドＰＬＭＮデータベースモジュール６３０は、ワイヤレスデバイスが境界領域に位置し得ると決定することが、図２および図３を参照して記述されるように、識別されたＶＰＬＭＮがＢＰＬＭＮデータベースに対応すると決定することを含み得るように構成され得る。
【００７６】
[0090]送信失敗モジュール６３５は、図２および図３を参照して記述されるように、送信失敗の数が閾値を越えると決定し得る。と記述された。いくつかの例では、送信失敗モジュール６３５は、セル選択モジュール４１０−ｂを含むワイヤレスデバイスの非対称ＵＬ／ＤＬ状態を識別することが、図２および図３を参照して記述されるように、送信失敗の数が閾値を越えると決定することに基づくように構成され得る。
【００７７】
[0091]ワイヤレスデバイス４００、ワイヤレスデバイス５００、またはセル選択モジュール４１０−ｂの様々なコンポーネントは、個別にまたはまとめて、ハードウェア中の当てはまる機能のうちのいくつかまたは全てを実行するように適合される少なくとも１つの特定用途向け集積回路（ＡＳＩＣ）で実装される。あるいは、機能は、少なくとも１つの集積回路（ＩＣ）上で１つまたは複数の他の処理ユニット（またはコア）によって実行されてもよい。他の例では、他のタイプの集積回路（例えば、ストラクチャード／プラットホームＡＳＩＣ、フィールドプログラマブルゲートアレイ（ＦＰＧＡ）、または他の半カスタム集積回路（ＩＣ））が使用され得、それらは本技術分野において既知の任意の方法でプログラムされ得る。各ユニットの機能はまた、１つまたは複数の汎用プロセッサまたは特定用途向けプロセッサによって実行されるようにフォーマットされた、メモリ中で具現化される命令で、全体的または部分的に実装され得る。
【００７８】
[0092]図７は、本開示の態様に従った、アップリンク通信とダウンリンク通信との間の非対称状態を有するデバイスのためのセル選択向けに構成されたＵＥ１１５を含むシステム７００の図を示す。システム７００は、ＵＥ１１５−ｃを含み得、ＵＥ１１５−ｃは、図１乃至図６を参照して記述されるワイヤレスデバイス４００、ワイヤレスデバイス５００、またはＵＥ１１５の例であり得る。ＵＥ１１５−ｃは、セル選択モジュール７１０を含み得、セル選択モジュール７１０は、図４、図５、または図６を参照して記述されるセル選択モジュール４１０の例であり得る。ＵＥ１１５−ｃはまた、ＰＬＭＮ探索モジュール７２５を含み得る。ＵＥ１１５−ｃはまた、通信を送信するためのコンポーネントおよび通信を受信するためのコンポーネントを含む双方向音声およびデータ通信用コンポーネントを含み得る。例えば、ＵＥ１１５−ｃは、基地局１０５−ｅまたはＵＥ１１５−ｄと双方向に通信し得る。
【００７９】
[0093]ＰＬＭＮ探索モジュール７２５は、ＰＬＭＮ探索を行うように構成され得る。例えば、ＰＬＭＮ探索モジュール７２５は、図２および図３を参照して記述されるように、送信失敗の数が閾値を越えると決定することに少なくとも部分的に基づいてＶＰＬＭＮを探索する。
【００８０】
[0094]ＵＥ１１５−ｃはまた、プロセッサモジュール７０５、（コード７２０を含む）メモリ７１５、トランシーバモジュール７３５、および１つまたは複数のアンテナ７４０を含み得る。これらの各々は、直接または間接的に、互いに（例えば、バス７４５を介して）通信し得る。トランシーバモジュール７３５は、上で記述されるように、アンテナ７４０またはワイヤードリンクあるいはワイヤレスリンクを介して１つまたは複数のネットワークと双方向に通信し得る。例えば、トランシーバモジュール７３５は、基地局１０５または別のＵＥ１１５と双方向に通信し得る。トランシーバモジュール７３５は、パケットを変調し、変調されたパケットを送信のためにアンテナ７４０へ提供し、アンテナ７４０から受信されたパケットを復調するモデムを含み得る。ＵＥ１１５−ｃは、１つのアンテナ７４０を含み得る一方で、ＵＥ１１５−ｃはまた、複数のワイヤレス送信を同時に送信または受信できる複数のアンテナ７４０を有し得る。
【００８１】
[0095]メモリ７１５は、ランダムアクセスメモリ（ＲＡＭ）および読み取り専用メモリ（ＲＯＭ）を含み得る。メモリ７１５は、実行されるとプロセッサモジュール７０５に本明細書に記述される様々な機能（例えば、ＰＬＭＮ境界領域でのセル選択など）を実行させる指示を含むコンピュータ可読、コンピュータ実行可能ソフトウェア／ファームウェアコード７２０を格納し得る。あるいは、ソフトウェア／ファームウェアコード７２０は、プロセッサモジュール７０５によって直接的に実行可能ではなくて（例えば、コンパイルおよび実行されると）コンピュータに本明細書に記述される機能を実行させ得る。プロセッサモジュール７０５は、インテリジェントハードウェアデバイス（例えば中央処理装置（ＣＰＵ）、マイクロコントローラ、ＡＳＩＣなど）を含み得る。
【００８２】
[0096]図８は、本開示の態様に従った、アップリンク通信とダウンリンク通信との間の非対称状態を有するデバイスのためのセル選択のための方法８００を示すフローチャートを示す。方法８００の動作は、図１乃至図７を参照して記述されるようなＵＥ１１５またはそのコンポーネントによって実装され得る。例えば、方法８００の動作は、図４乃至図７を参照して記述されるようなセル選択モジュール４１０によって実行され得る。いくつかの例において、ＵＥ１１５は、ＵＥ１１５の機能要素が下で記述される機能を実行するように制御するためのコードのセットを実行し得る。付加的または代替的に、ＵＥ１１５は、特定用途ハードウェアを使用して、下で記述される機能態様を実行し得る。
【００８３】
[0097]ブロック８０５において、ＵＥ１１５は、図２および図３を参照して記述されるように、ＵＥの非対称ＵＬ／ＤＬ状態を識別し得る。ある例では、ブロック８０５の動作は、図４、図５、または図６を参照して記述されるようなセル選択モジュール４１０、または図５あるいは図６を参照して記述されるような非対称ＵＬ／ＤＬ状態識別モジュール５０５のうちの１つまたは複数によって実行され得る。
【００８４】
[0098]ブロック８１０において、ＵＥ１１５は、図２および図３を参照して記述されるように、非対称ＵＬ／ＤＬ状態を識別することに少なくとも部分的に基づいてアクセスネットワークに関連付けられたセル選択パラメータを修正し得る。ある例では、ブロック８１０の動作は、図４、図５、または図６を参照して記述されるようなセル選択モジュール４１０、または図５あるいは図６を参照して記述されるようなセル選択パラメータ修正モジュール５１０のうちの１つまたは複数によって実行され得る。
【００８５】
[0099]図９は、本開示の態様に従った、アップリンク通信とダウンリンク通信との間の非対称状態を有するデバイスのためのセル選択のための方法９００を示すフローチャートを示す。方法９００の動作は、図１乃至図７を参照して記述されるようなＵＥ１１５またはそのコンポーネントによって実装され得る。例えば、方法９００の動作は、図４乃至図７を参照して記述されるようなセル選択モジュール４１０によって実行され得る。いくつかの例では、ＵＥ１１５は、ＵＥ１１５の機能要素が下で記述される機能を実行するように制御するためのコードのセットを実行し得る。付加的または代替的に、ＵＥ１１５は、特定用途ハードウェアを使用して、下で記述される機能態様を実行し得る。方法９００はまた、図８を参照して記述される方法８００の態様を取り入れ得る。
【００８６】
[0100]ブロック９０５において、ＵＥ１１５は、図２および図３を参照して記述されるように、ＵＥがアクセスネットワークの境界領域に位置すると決定し得る。ある例では、ブロック９０５の動作は、図４、図５、または図６を参照して記述されるセル選択モジュール４１０、または図６を参照して記述されるような境界領域識別モジュール６１０のうちの１つまたは複数によって実行され得る。
【００８７】
[0101]ブロック９１０において、ＵＥ１１５は、図２および図３を参照して記述されるように、非対称ＵＬ／ＤＬ状態を識別し得る。ある例では、ブロック９１０の動作は、図４、図５、または図６を参照して記述されるセル選択モジュール４１０、または図５あるいは図６を参照して記述されるような非対称ＵＬ／ＤＬ状態識別モジュール５０５のうちの１つまたは複数によって実行され得る。
【００８８】
[0102]ブロック９１５において、ＵＥ１１５は、図２および図３を参照して記述されるように、ＵＥが境界領域に位置すると決定することに少なくとも部分的に基づいて、アクセスネットワークに関連付けられたセル選択パラメータを修正し得る。ある例では、ブロック９１５の動作は、図４、図５、または図６を参照して記述されるセル選択モジュール４１０、または図５あるいは図６を参照して記述されるようなセル選択パラメータ修正モジュール５１０のうちの１つまたは複数によって実行され得る。
【００８９】
[0103]図１０は、本開示の態様に従った、アップリンク通信とダウンリンク通信との間の非対称状態を有するデバイスのためのセル選択のための方法１０００を示すフローチャートを示す。方法１０００の動作は、図１乃至図７を参照して記述されるようなＵＥ１１５またはそのコンポーネントによって実装され得る。例えば、方法１０００の動作は、図４乃至図７を参照して記述されるようなセル選択モジュール４１０によって実行され得る。いくつかの例では、ＵＥ１１５は、ＵＥ１１５の機能要素が下で記述される機能を実行するように制御するためのコードのセットを実行し得る。付加的または代替的に、ＵＥ１１５は、特定用途ハードウェアを使用して、下で記述される機能態様を実行し得る。方法１０００はまた、図８または図９を参照して記述される方法８００または９００の態様を取り入れ得る。
【００９０】
[0104]ブロック１００５において、ＵＥ１１５は、図２および図３を参照して記述されるように、ＵＥのＤＬ受信範囲がＵＥのＵＬ受信範囲より大きいと決定することによって、ＵＥの非対称ＵＬ／ＤＬ状態を識別し得る。ある例では、ブロック１００５の動作は、図４、図５、または図６を参照して記述されるセル選択モジュール４１０、または図５あるいは図６を参照して記述されるような非対称ＵＬ／ＤＬ状態識別モジュール５０５、または図６を参照して記述される受信範囲識別モジュール６０５のうちの１つまたは複数によって実行され得る。
【００９１】
[0105]ブロック１０１０において、ＵＥ１１５は、図２および図３を参照して記述されるように、ＵＥの非対称ＵＬ／ＤＬ状態を識別することに少なくとも部分的に基づいてアクセスネットワークに関連付けられたセル選択パラメータを修正し得る。ある例では、ブロック１０１０の動作は、図４、図５、または図６を参照して記述されるセル選択モジュール４１０、または図５あるいは図６を参照して記述されるようなセル選択パラメータ修正モジュール５１０のうちの１つまたは複数によって実行され得る。
【００９２】
[0106]図１１は、本開示の態様に従った、アップリンク通信とダウンリンク通信との間の非対称状態を有するデバイスのためのセル選択のための方法１１００を示すフローチャートを示す。方法１１００の動作は、図１乃至図７を参照して記述されるようなＵＥ１１５またはそのコンポーネントによって実装され得る。例えば、方法１１００の動作は、図４乃至図７を参照して記述されるようなセル選択モジュール４１０によって実行され得る。いくつかの例では、ＵＥ１１５は、ＵＥ１１５の機能要素が下で記述される機能を実行するように制御するためのコードのセットを実行し得る。付加的または代替的に、ＵＥ１１５は、特定用途ハードウェアを使用して、下で記述される機能態様を実行し得る。方法１１００はまた、図８乃至図１０の方法８００、９００、および１０００の態様を取り入れ得る。
【００９３】
[0107]ブロック１１０５において、ＵＥ１１５は、図２および図３を参照して記述されるように、ＵＥの高利得受信機の利用可能性を識別することによって、ＵＥの非対称ＵＬ／ＤＬ状態を識別し得る。ある例では、ブロック１１０５の動作は、図４、図５、または図６を参照して記述されるセル選択モジュール４１０、または図５あるいは図６を参照して記述されるような非対称ＵＬ／ＤＬ状態識別モジュール５０５、または図６を参照して記述される受信範囲識別モジュール６０５のうちの１つまたは複数によって実行され得る。
【００９４】
[0108]ブロック１１１０において、ＵＥ１１５は、図２および図３を参照して記述されるように、ＵＥの非対称ＵＬ／ＤＬ状態を識別することに少なくとも部分的に基づいてアクセスネットワークに関連付けられたセル選択パラメータを修正し得る。ある例では、ブロック１１１０の動作は、図４、図５、または図６を参照して記述されるセル選択モジュール４１０、または図５あるいは図６を参照して記述されるようなセル選択パラメータ修正モジュール５１０のうちの１つまたは複数によって実行され得る。
【００９５】
[0109]図１２は、本開示の態様に従った、アップリンク通信とダウンリンク通信との間の非対称状態を有するデバイスのためのセル選択のための方法１２００を示すフローチャートを示す。方法１２００の動作は、図１乃至図７を参照して記述されるようなＵＥ１１５またはそのコンポーネントによって実装され得る。例えば、方法１２００の動作は、図４乃至図７を参照して記述されるようなセル選択モジュール４１０によって実行され得る。いくつかの例では、ＵＥ１１５は、ＵＥ１１５の機能要素が下で記述される機能を実行するように制御するためのコードのセットを実行し得る。付加的または代替的に、ＵＥ１１５は、特定用途ハードウェアを使用して、下で記述される機能態様を実行し得る。方法１２００はまた、図８乃至図１１の方法８００、９００、１０００、および１１００の態様を取り入れ得る。
【００９６】
[0110]ブロック１２０５において、ＵＥ１１５は、図２および３を参照して記述されるように、送信失敗の数が閾値を越えると決定することによって、ＵＥの非対称ＵＬ／ＤＬ状態を識別し得る。ある例では、図４、図５、または図６を参照して記述されるセル選択モジュール４１０、または図６を参照して記述されるような送信失敗モジュール６３５の１つまたは複数によって実行されるブロック１２０５の動作。
【００９７】
[0111]ブロック１２１０において、ＵＥ１１５は、図２および図３を参照して記述されるように、ＵＥの非対称ＵＬ／ＤＬ状態を識別することに少なくとも部分的に基づいて、セル選択パラメータを修正し得る。ある例では、ブロック１２１０の動作は、図４、図５、または図６を参照して記述されるセル選択モジュール４１０、または図５あるいは図６を参照して記述されるようなセル選択パラメータ修正モジュール５１０のうちの１つまたは複数によって実行され得る。
【００９８】
[0112]図１３は、本開示の態様に従った、アップリンク通信とダウンリンク通信との間の非対称状態を有するデバイスのためのセル選択のための方法１３００を示すフローチャートを示す。方法１３００の動作は、図１乃至図７を参照して記述されるようなＵＥ１１５またはそのコンポーネントによって実装され得る。例えば、方法１３００の動作は、図４乃至図７を参照して記述されるようなセル選択モジュール４１０によって実行され得る。いくつかの例では、ＵＥ１１５は、ＵＥ１１５の機能要素が下で記述される機能を実行するように制御するためのコードのセットを実行し得る。付加的または代替的に、ＵＥ１１５は、特定用途ハードウェアを使用して、下で記述される機能態様を実行し得る。方法１３００はまた、図８乃至図１２の方法８００、９００、１０００、１１００、および１２００の態様を取り入れ得る。
【００９９】
[0113]ブロック１３０５において、ＵＥ１１５は、図２乃至図３を参照して記述されるように、送信失敗の数が閾値を越えると決定することによって、ＵＥがアクセスネットワークの境界地域に位置すると決定し得る。ある例では、ブロック１３０５の動作は、図４、図５、または図６を参照して記述されるセル選択モジュール４１０、または図６を参照して記述されるような境界領域識別モジュール６１０あるいは送信失敗モジュール６３５のうちの１つまたは複数によって実行され得る。
【０１００】
[0114]ブロック１３１０において、ＵＥ１１５は、図２乃至図３を参照して記述されるように、ＵＥが境界地域に位置すると決定することに少なくとも部分的に基づいて、アクセスネットワークに関連付けられたセル選択パラメータを修正し得る。ある例では、ブロック１３１０の動作は、図４、図５、または図６を参照して記述されるセル選択モジュール４１０、または図５あるいは図６を参照して記述されるようなセル選択パラメータ修正モジュール５１０のうちの１つまたは複数によって実行され得る。
【０１０１】
[0115]このように、方法８００、９００、１０００、１１００、１２００、および１３００は、本開示の態様に従った、アップリンク通信とダウンリンク通信との間の非対称状態を有するデバイスのためのセル選択を提供し得る。いくつかの例では、図８、図９、図１０、図１１、図１２、または図１３を参照して記述される方法８００、９００、１０００、１１００、１２００、または１３００のうちの２つ以上からの態様が組み合わせられ得る。方法８００、９００、１０００、１１００、１２００、および１３００が例となる実装形態であり、方法８００、９００、１０００、１１００、１２００、または１３００の動作が並べ替えられ得ること、またはそうでなければ他の実装形態が可能なように修正され得ることに留意されたい。
【０１０２】
[0116]添付された図面との関連で上で示される詳細な記述は、例となる実施形態を記述し、また、実装され得るまたは請求項の範囲内の全ての例を表わすとは限らない。この記述中で使用される用語「例示的な」は、「例、実例、または例示として役立つ」ことを意味し、「好ましい」または「他の例より有利である」ことを意味しない。詳細な記述は、記述された技法についての理解を提供する目的で詳細事項を含む。しかしながら、これらの技法はこれらの詳細事項なしで実行され得る。いくつかの実例では、周知の構造およびデバイスは、記述される例の概念を曖昧にすることを回避する目的で、ブロック図の形態で示される。
【０１０３】
[0117]情報および信号は、様々な相違する技術および技法のうちの任意のものを使用しても表わされ得る。例えば、上の記述の全体に亘って言及され得るデータ、命令、コマンド、情報、信号、ビット、シンボル、およびチップは、電圧、電流、電磁波、磁場または磁性粒子、光電場または光粒子、あるいはそれらの任意の組合せによって表わされ得る。
【０１０４】
[0118]本開示との関連で本明細書で記述される様々な例示的なブロックおよびモジュールは、汎用プロセッサ、デジタル信号プロセッサ（ＤＳＰ）、ＡＳＩＣ、ＦＰＧＡまたは他のプログラマブルロジックデバイス、ディスクリートゲートまたはトランジスタロジック、ディスクリートハードウェアコンポーネント、あるいはそれらの本明細書に記述される機能を実行するように設計されるまたは任意の組合せを用いて実装または実行され得る。汎用プロセッサはマイクロプロセッサであり得るが、代替では、このプロセッサは、任意の従来のプロセッサ、コントローラ、マイクロコントローラ、またはステートマシンであり得る。プロセッサはまた、複数のコンピューティングデバイスの組合せ（例えば、ＤＳＰとマイクロプロセッサの組合せ、複数のマイクロプロセッサ、ＤＳＰコアに連結した１つまたは複数のマイクロプロセッサ、または他の任意のそのような構成）として実装され得る。
【０１０５】
[0119]本明細書で記述される機能は、ハードウェア、プロセッサによって実行されるソフトウェア、ファームウェア、またはそれらの任意の組合せの中で実装され得る。プロセッサによって実行されるソフトウェア中で実装される場合、機能は、コンピュータ可読媒体上で１つまたは複数の命令またはコードとして記憶または送信され得る。他の例および実装形態は、本開示および添付された特許請求の範囲の範囲および精神内にある。例えば、ソフトウェアの性質に起因して、上で記述される機能は、プロセッサによって実行されるソフトウェア、ハードウェア、ファームウェア、ハードワイヤリング、またはこれらの任意の組合せを使用して実装されることができる。機能を実装する特徴は、機能の複数部分が相違する物理的位置において実装されるように分散されることを含め、様々な位置に物理的に配置され得る。請求項での使用を含め本明細書で使用される場合、用語「および／または」は、２つ以上の項目からなるリストで使用されると、リストされた項目のうちの任意の１つが単独で採用され得ること、または、リストされた項目のうちの２つ以上の任意の組合せが採用され得ることを意味する。例えば、ある構成が、コンポーネントＡ、Ｂ、および／またはＣを含むものとして記述される場合、この構成は、Ａだけ、Ｂだけ、Ｃだけ、ＡとＢの組合せ、ＡとＣの組合せ、ＢとＣの組合せ、またはＡとＢとＣの組合せを含み得る。また、請求項での使用を含め本明細書で使用される場合、項目のリストにおいて使用される場合の「または（あるいは）」（例えば、「のうちの少なくとも１つ」または「のうちの１つまたは複数」のような句によって先行される項目のリスト）は、例えば項目のリスト「のうちの少なくとも１つ」を指す句が、単独の要素を含め、これら項目の任意の組合せを指すように、包括的なリストを示す。例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃを、そして複数の同じ要素の任意の組合せ（例えばＡ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、ＢおよびＣの他の任意の順序）も、カバーすることを意図される。
【０１０６】
[0120]コンピュータ可読媒体は、コンピュータ記憶媒体と、ある場所から別の場所へのコンピュータプログラムの移動を容易にする任意の媒体を含む通信媒体との両方を含む。非一時的記憶媒体は、汎用コンピュータまたは専用コンピュータによってアクセスされることができる任意の利用可能な媒体であり得る。限定ではなく例として、非一時的コンピュータ可読媒体は、ＲＡＭ、ＲＯＭ、電気的消去可能プログラマブル読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を搬送または記憶するために使用されることができるとともに汎用コンピュータまたは特殊用途コンピュータ、もしくは汎用コンピュータまたは特殊用途プロセッサによってアクセスされることができる任意の他の媒体を備えることができる。また、任意の接続が、コンピュータ可読媒体と称されることが適切である。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技術を使用して送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、ＣＤ、レーザーディスク（登録商標）（disc）、光ディスク（disc）、デジタル多用途ディスク（disc）（ＤＶＤ）、フロッピー（登録商標）ディスク（disk）、およびブルーレイディスク（disc）を含み、ここで、ディスク（disk）は通常、磁気的にデータを再生し、その一方でディスク（disc）は、レーザーを用いて光学的にデータを再生する。上の組合せもコンピュータ可読媒体の範囲内に含まれる。
【０１０７】
[0121]本明細書で使用される場合、句「に基づく（基づいて）」は、条件の閉集合を指すものとして解釈されるべきではない。例えば、「条件Ａに基づく」として記述される例示的ステップは、本開示の範囲から逸脱することなく、条件Ａおよび条件Ｂの両方に基づき得る。換言すると、本明細書で使用される場合、句「に基づく」は、句「に少なくとも部分的に基づく」と同様に解釈されるべきである。
【０１０８】
[0122]本開示の先の記述は、当業者が本開示を行うことまたは使用することを可能にするために提供される。開示への様々な修正は当業者に対して容易に明らかになるであろうし、また、本明細書で定義される包括的な原理は、本開示の範囲から逸脱することなく他の変形に適用され得る。したがって、本開示は本明細書で記述される例およびデザインに制限されるべきではなく、本明細書で開示される原理および新規な特徴と矛盾しない最も広い範囲と認められるべきである。
【０１０９】
[0123]本明細書で記述される技法は、符号分割多元接続（ＣＤＭＡ）、時分割多元接続（ＴＤＭＡ）、周波数分割多元接続（ＦＤＭＡ）、ＯＦＤＭＡ、シングルキャリア周波数分割多元接続（ＳＣ−ＦＤＭＡ）、および他のシステムのような、様々なワイヤレス通信システムのために使用され得る。用語「システム」および「ネットワーク」は多くの場合可換的に使用される。ＣＤＭＡシステムは、ＣＤＭＡ２０００、ユニバーサル地上無線アクセス（ＵＴＲＡ）などのような無線技術を実装し得る。ＣＤＭＡ２０００は、ＩＳ−２０００規格、ＩＳ−９５規格、およびＩＳ−８５６規格をカバーする。ＩＳ−２０００リリース０およびＡは、一般に、ＣＤＭＡ２０００  １Ｘ、１Ｘなどと称される。ＩＳ−８５６（ＴＩＡ−８５６）は、一般に、ＣＤＭＡ２０００  １ｘＥＶ−ＤＯ、高速パケットデータなど（ＨＲＰＤ）と称される。ＵＴＲＡは、広帯域ＣＤＭＡ（ＷＣＤＭＡ（登録商標））およびＣＤＭＡの他の異形体を含む。ＴＤＭＡシステムは、汎欧州デジタル移動電話方式（ＧＳＭ）のような無線技術を実装し得る。ＯＦＤＭＡシステムは、ウルトラモバイルブロードバンド（ＵＭＢ）、エボルブドＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭなどのような無線技術を実装し得る。ＵＴＲＡおよびＥ−ＵＴＲＡはユニバーサルモバイル通信システム（ＵＭＴＳ）の一部である。３ＧＰＰロングタームエボルーション（ＬＴＥ）およびＬＴＥアドバンスト（ＬＴＥ−Ａ）は、Ｅ−ＵＴＲＡを使用するユニバーサルモバイル通信システム（ＵＭＴＳ）の新リリースである。ＵＴＲＡ、Ｅ−ＵＴＲＡ、ＵＭＴＳ、ＬＴＥ、ＬＴＥ−Ａ、および汎欧州デジタル移動電話方式（ＧＳＭ）は、「第３世代パートナーシッププロジェクト」（３ＧＰＰ）と名付けられた団体からの文書中で記述される。ＣＤＭＡ２０００およびＵＭＢは、「第３世代パートナーシッププロジェクト２」（３ＧＰＰ２）と名付けられた団体からの文書中で記述される。本明細書で記述される技術は、上で言及されるシステムおよび無線技術と、他のシステムおよび無線技術にも使用され得る。しかしながら、上の記述は、例の目的でＬＴＥシステムを記述し、また、ＬＴＥの専門用語は上の記述の多くで使用される。ただし、本技法はＬＴＥアプリケーションを越えて適用可能である。
以下に本願の出願当初の特許請求の範囲に記載された発明を付記する。
［Ｃ１］
ワイヤレスデバイスにおける通信の方法であって、
ユーザ機器（ＵＥ）の非対称アップリンク／ダウンリンク（ＵＬ／ＤＬ）状態を識別することと、
前記非対称ＵＬ／ＤＬ状態を識別することに少なくとも部分的に基づいてアクセスネットワークに関連付けられたセル選択パラメータを修正することと
を備える、方法。
［Ｃ２］
前記非対称ＵＬ／ＤＬ状態を識別することは、
前記ＵＥのダウンリンク（ＤＬ）の受信範囲が前記ＵＥのアップリンク（ＵＬ）の送信範囲より大きいと決定することを備える、Ｃ１の方法。
［Ｃ３］
前記非対称ＵＬ／ＤＬ状態を識別することは、
前記ＵＥの高利得受信機の利用可能性を識別することを備える、Ｃ１の方法。
［Ｃ４］
前記非対称ＵＬ／ＤＬ状態を識別することは、
送信失敗の数が閾値を超えると決定することを備える、Ｃ１の方法。
［Ｃ５］
前記アクセスネットワークのサービングセルとの同期ずれ（ＯＯＳ）を宣言することをさらに備える、Ｃ４の方法。
［Ｃ６］
送信失敗の数が前記閾値を超えると決定することに少なくとも部分的に基づいて訪問者公衆陸上モバイルネットワーク（ＶＰＬＭＮ）を探索することをさらに備える、Ｃ４の方法。
［Ｃ７］
前記修正されたセル選択パラメータに少なくとも部分的に基づいて第２アクセスネットワークのためのセル選択手順を実行することをさらに備える、Ｃ１の方法。
［Ｃ８］
前記セル選択パラメータを修正することは、
公衆陸上モバイルネットワーク（ＰＬＭＮ）セル選択をバイパスすることを備える、Ｃ１の方法。
［Ｃ９］
前記アクセスネットワークからブロードキャストセル選択情報を受信することをさらに備え、前記セル選択パラメータは、前記ブロードキャストセル選択情報に少なくとも部分的に基づく、Ｃ１の方法。
［Ｃ１０］
前記セル選択パラメータは、前記アクセスネットワークの第１無線アクセス技術（ＲＡＴ）に関連付けられ、前記方法はさらに、
第２アクセスネットワークの第２ＲＡＴに関連付けられた第２セル選択パラメータを修正することを備え、前記第２ＲＡＴは、前記第１ＲＡＴと異なる、Ｃ１の方法。
［Ｃ１１］
前記アクセスネットワークは、公衆陸上モバイルネットワーク（ＰＬＭＮ）である、Ｃ１の方法。
［Ｃ１２］
モバイル国コード（ＭＣＣ）に少なくとも部分的に基づいて前記アクセスネットワークを識別することをさらに備える、Ｃ１の方法。
［Ｃ１３］
前記ＵＥが前記アクセスネットワークの境界領域に位置すると決定することをさらに備える、Ｃ１の方法。
［Ｃ１４］
前記ＵＥが前記アクセスネットワークの前記境界領域に位置すると決定することは、
前記ＵＥについての全地球測位システム（ＧＰＳ）座標のセットを識別することを備え、ＧＰＳ座標の前記セットは、前記境界領域に対応する、Ｃ１３の方法。
［Ｃ１５］
前記ＵＥが前記境界領域に位置すると決定することは、
第２アクセスネットワークのモバイル国コード（ＭＣＣ）を識別することを備え、前記第２アクセスネットワークの前記ＭＣＣは、前記アクセスネットワークのＭＣＣと異なる、Ｃ１３の方法。
［Ｃ１６］
前記ＵＥが前記アクセスネットワークの前記境界領域に位置すると決定することは、
識別された訪問者公衆陸上モバイルネットワーク（ＶＰＬＭＮ）がバックグラウンド公衆陸上モバイルネットワーク（ＢＰＬＭＮ）データベースに対応すると決定することを備える、Ｃ１３の方法。
［Ｃ１７］
ワイヤレス通信のための装置であって、
ユーザ機器（ＵＥ）の非対称アップリンク／ダウンリンク（ＵＬ／ＤＬ）状態を識別するための手段と、
前記非対称ＵＬ／ＤＬ状態を識別することに少なくとも部分的に基づいてアクセスネットワークに関連付けられたセル選択パラメータを修正するための手段と
を備える、装置。
［Ｃ１８］
前記非対称ＵＬ／ＤＬ状態を識別するための前記手段は、
前記ＵＥのダウンリンク（ＤＬ）の受信範囲が前記ＵＥのアップリンク（ＵＬ）の送信範囲より大きいと決定するための手段を備える、Ｃ１７の装置。
［Ｃ１９］
前記非対称ＵＬ／ＤＬ状態を識別するための前記手段は、
前記ＵＥの高利得受信機の利用可能性を識別するための手段を備える、Ｃ１７の装置。
［Ｃ２０］
前記非対称ＵＬ／ＤＬ状態を識別するための前記手段は、
送信失敗の数が閾値を超えると決定するための手段を備える、Ｃ１７の装置。
［Ｃ２１］
前記アクセスネットワークのサービングセルとの同期ずれ（ＯＯＳ）を宣言するための手段をさらに備える、Ｃ２０の装置。
［Ｃ２２］
送信失敗の数が前記閾値を超えると決定することに少なくとも部分的に基づいて訪問者公衆陸上モバイルネットワーク（ＶＰＬＭＮ）を探索するための手段をさらに備える、Ｃ２０の装置。
［Ｃ２３］
前記修正されたセル選択パラメータに少なくとも部分的に基づいて第２アクセスネットワークのためのセル選択手順を実行するための手段をさらに備える、Ｃ１７の装置。
［Ｃ２４］
前記セル選択パラメータは、前記アクセスネットワークの第１無線アクセス技術（ＲＡＴ）に関連付けられ、前記装置はさらに、
第２アクセスネットワークの第２ＲＡＴに関連付けられた第２セル選択パラメータを修正するための手段を備え、前記第２ＲＡＴは、前記第１ＲＡＴと異なる、Ｃ１７の装置。
［Ｃ２５］
前記アクセスネットワークは、公衆陸上モバイルネットワーク（ＰＬＭＮ）である、Ｃ１７の装置。
［Ｃ２６］
前記ＵＥが前記アクセスネットワークの境界領域に位置すると決定するための手段をさらに備える、Ｃ１７の装置。
［Ｃ２７］
前記ＵＥが前記境界領域に位置すると決定するための前記手段は、
第２アクセスネットワークのモバイル国コード（ＭＣＣ）を識別するための手段を備え、前記第２アクセスネットワークの前記ＭＣＣは、前記アクセスネットワークのＭＣＣと異なる、Ｃ２６の装置。
［Ｃ２８］
前記ＵＥが前記境界領域に位置すると決定するための前記手段は、
識別された訪問者公衆陸上モバイルネットワーク（ＶＰＬＭＮ）がバックグラウンド公衆陸上モバイルネットワーク（ＢＰＬＭＮ）データベースに対応すると決定するための手段を備える、Ｃ２６の装置。
［Ｃ２９］
ワイヤレス通信のための装置であって、
プロセッサと、
前記プロセッサと電子通信状態にあるメモリと、
前記メモリに記憶されるとともに前記装置に、
ユーザ機器（ＵＥ）の非対称アップリンク／ダウンリンク（ＵＬ／ＤＬ）状態を識別することと、
前記非対称ＵＬ／ＤＬ状態を識別することに少なくとも部分的に基づいてアクセスネットワークに関連付けられたセル選択パラメータを修正することと
を行わせるように前記プロセッサによって実行可能な命令と、
を備える装置。
［Ｃ３０］
ワイヤレス通信のためのコードを記憶する非一時的なコンピュータ可読媒体であって、前記コードは、
ユーザ機器（ＵＥ）の非対称アップリンク／ダウンリンク（ＵＬ／ＤＬ）状態を識別することと、
前記非対称ＵＬ／ＤＬ状態を識別することに少なくとも部分的に基づいてアクセスネットワークに関連付けられたセル選択パラメータを修正することと、
を行うように実行可能な命令を備える、非一時的なコンピュータ可読媒体。
【図１】
0006571189.tif 000002
【図２】
0006571189.tif 000003
【図３】
0006571189.tif 000004
【図４】
0006571189.tif 000005
【図５】
0006571189.tif 000006
【図６】
0006571189.tif 000007
【図７】
0006571189.tif 000008
【図８】
0006571189.tif 000009
【図９】
0006571189.tif 000010
【図１０】
0006571189.tif 000011
【図１１】
0006571189.tif 000012
【図１２】
0006571189.tif 000013
【図１３】
0006571189.tif 000014